(57)【要約】  本開示は、概ね、符号化するカラー・ピクチャから輝度成分（Ｌ）および２つのクロミナンス成分（Ｃ１，Ｃ２）を取得すること（１１）を含む、色成分（Ｅｃ）を有するカラー・ピクチャを符号化する方法およびデバイスに関する。符号化するカラー・ピクチャから輝度成分および２つのクロミナンス成分を取得することを含む、色成分を有するカラー・ピクチャを符号化する方法は、輝度成分の各画素（ｉ）の値に基づいて第１のファクタを決定することと、少なくとも１つのクロミナンス成分を第１のファクタでスケーリングすることによって少なくとも１つの最終クロミナンス成分を取得することと、少なくとも１つの最終クロミナンス成分を符号化すること（１３）とをさらに含む。
2018507619.tif 000002
【特許請求の範囲】
【請求項１】
符号化されるカラー・ピクチャから少なくとも１つのクロミナンス成分を取得することを含む、色成分を有するカラー・ピクチャを符号化する方法において、
輝度成分の各画素（ｉ）の値に基づいて第１のファクタを決定することと、
前記少なくとも１つのクロミナンス成分を前記第１のファクタでスケーリングすることによって少なくとも１つの最終クロミナンス成分を取得することと、
前記少なくとも１つの最終クロミナンス成分を符号化すること（１３）と、
をさらに含むことを特徴とする、前記方法。
【請求項２】
輝度成分（Ｌ）および２つの最終クロミナンス成分を取得することと、前記輝度成分（Ｌ）と前記２つの最終クロミナンス成分とを
Ｌ”＝Ｌ−ｍＣ”１−ｎＣ”２
に従って線形結合することによって最終輝度成分（Ｌ”）を取得すること（１２２）であって、Ｌは前記輝度成分であり、Ｌ”は前記最終輝度成分であり、Ｃ”１およびＣ”２は前記２つの最終クロミナンス成分であり、ｍおよびｎは係数である、該取得することと、
前記最終輝度成分を符号化すること（１３）と、
をさらに含む、請求項１に記載の方法。
【請求項３】
輝度成分（Ｌ）および２つの最終クロミナンス成分を取得することと、前記輝度成分（Ｌ）と前記２つの最終クロミナンス成分（Ｃ”１，Ｃ”２）とを
Ｌ”＝Ｌ−ｍａｘ（０，ｍＣ”１＋ｎＣ”２）
に従って線形結合することによって最終輝度成分（Ｌ”）を取得すること（１２２）であって、Ｌは前記輝度成分であり、Ｌ”は前記最終輝度成分であり、Ｃ”１およびＣ”２は前記２つの最終クロミナンス成分であり、ｍおよびｎは係数である、該取得することと、
前記最終輝度成分を符号化すること（１３）と、
をさらに含む、請求項１に記載の方法。
【請求項４】
前記係数ｍおよびｎをローカルまたは遠隔のメモリに記憶すること、および／または、前記係数ｍおよびｎをビットストリームに追加することをさらに含む、請求項２または３に記載の方法。
【請求項５】
前記第１のファクタは、前記輝度成分（Ｌ）の画素（ｉ）の特定の値についてルップアップ・テーブルから得られる、請求項２から４のいずれか１項に記載の方法。
【請求項６】
前記輝度成分（Ｌ）の画素（ｉ）の特定の値についての前記第１のファクタは、前記ルップアップ・テーブルの値を補間することによって得られる、請求項５に記載の方法。
【請求項７】
前記第１のファクタはさらに、前記係数ｍおよびｎに依存する、請求項２から６のいずれか１項に記載の方法。
【請求項８】
前記第１のファクタは、前記最終輝度成分（Ｌ”）および前記最終クロミナンス成分（Ｃ”１，Ｃ”２）から得られる色の色域と符号化される前記カラー・ピクチャの色の色域との間で計算される色域歪みが最小限に抑えられるように取得される、請求項７に記載の方法。
【請求項９】
符号化される前記カラー・ピクチャから輝度成分（Ｌ）および２つのクロミナンス成分（Ｃ１，Ｃ２）を取得すること（１１）は、
輝度成分（Ｌ）を取得すること（１３０）であって、
前記カラー・ピクチャの輝度（Ｙ）から変調値（Ｂａ）を取得すること（１２０）と、
前記カラー・ピクチャの前記輝度（Ｙ）を前記変調値（Ｂａ）で除算することによって、スケーリングされた輝度を取得することと、
前記輝度成分（Ｌ）のダイナミックが前記スケーリングされた輝度のダイナミックと比較して小さくなるように、前記スケーリングされた輝度に非線形関数を適用することによって前記輝度成分（Ｌ）を取得することと、
を含む、前記輝度成分（Ｌ）を取得することと、
２つのクロミナンス成分（Ｃ１，Ｃ２）を取得することであって、
前記輝度成分（Ｌ（ｉ））の画素（ｉ）の値と前記カラー・ピクチャ内の共通の位置にある画素（ｉ）の輝度値（Ｙ（ｉ））とによって決まる第２のファクタ（ｒ（Ｌ（ｉ）））を取得することと、
各色成分（Ｅｃ）に第２のファクタ（ｒ（Ｌ））を乗算することによって少なくとも１つの中間色成分（Ｅ’ｃ）を取得すること（１５０）と、
前記少なくとも１つの中間色成分（Ｅ’ｃ）から前記少なくとも２つのクロミナンス成分（Ｃ１，Ｃ２）を取得すること（１７０）と、
を含む、前記２つのクロミナンス成分（Ｃ１，Ｃ２）を取得することと、
を含む、請求項１から８のいずれか１項に記載の方法。
【請求項１０】
ビットストリームから少なくとも１つのクロミナンス成分を取得することと、
前記少なくとも１つのクロミナンス成分から少なくとも１つの最終クロミナンス成分を取得すること（２２）と、
前記少なくとも１つの最終クロミナンス成分から、復号されるカラー・ピクチャを取得すること（２３）と、を含む、ビットストリームからカラー・ピクチャを復号する方法において、
前記少なくとも１つの最終クロミナンス成分を取得すること（２２）が、
前記最終輝度成分（Ｌ）の各画素（ｉ）の値から第１のファクタを取得することと、
前記少なくとも１つのクロミナンス成分に前記第１のファクタを乗算すること（２２１）によって、前記少なくとも１つの最終クロミナンス成分を取得すること（２２２）と、を含むことを特徴とする、前記方法。
【請求項１１】
輝度成分（Ｌ”）および２つのクロミナンス成分を取得することをさらに含み、前記最終輝度成分（Ｌ）は、前記輝度成分（Ｌ”）と前記２つのクロミナンス成分とを
Ｌ＝Ｌ”＋ｍＣ”１＋ｎＣ”２
に従って線形結合することによって取得され、Ｌは前記最終輝度成分であり、Ｌ”は前記輝度成分であり、Ｃ”１およびＣ”２は前記２つのクロミナンス成分であり、ｍおよびｎは係数である、請求項１０に記載の方法。
【請求項１２】
前記最終輝度成分（Ｌ）および前記２つの最終クロミナンス成分（Ｃ１，Ｃ２）から、復号される前記カラー・ピクチャを取得すること（２３）は、
第１の成分（Ｙ）を取得すること（２２０）であって、
結果的に生じる成分のダイナミックが前記最終輝度成分（Ｌ）のダイナミックと比較して大きくなるように、前記最終輝度成分（Ｌ）に非線形関数を適用することによって前記結果的に生じる成分を取得することと、
復号される前記カラー・ピクチャの輝度から変調値（Ｂａ）を取得することと、
前記結果的に生じる成分に前記変調値を乗算することによって前記第１の成分（Ｙ）を取得することと、
を含む、前記第１の成分（Ｙ）を取得することと、
前記最終輝度成分（Ｌ）の画素（ｉ）の値（Ｌ（ｉ））によって決まる第２のファクタ（ｒ（Ｌ（ｉ）））を取得することと、
前記第１の成分（Ｙ）、前記２つの最終クロミナンス成分（Ｃ１，Ｃ２）、および前記第２のファクタ（ｒ（Ｌ（ｉ）））から少なくとも１つの色成分（Ｅｃ）を取得すること（２３０）と、
前記少なくとも１つの色成分（Ｅｃ）を結合することによって、復号されたピクチャを形成することと、
を含む、請求項１０または１１に記載の方法。
【請求項１３】
符号化されるカラー・ピクチャから少なくとも１つのクロミナンス成分を取得するように構成されたプロセッサを含む、色成分を有するカラー・ピクチャを符号化するデバイスにおいて、前記プロセッサがさらに、
前記輝度成分の各画素（ｉ）の値に基づいて第１のファクタを決定し、
前記少なくとも１つのクロミナンス成分を前記第１のファクタでスケーリングすることによって少なくとも１つの最終クロミナンス成分を取得し、
前記少なくとも１つの最終クロミナンス成分を符号化する（１３）、
ように構成されていることを特徴とする、前記デバイス。
【請求項１４】
ビットストリームから少なくとも１つのクロミナンス成分を取得し、
少なくとも１つのクロミナンス成分から少なくとも１つの最終クロミナンス成分を取得し（２２）、
前記少なくとも１つの最終クロミナンス成分から、復号されるカラー・ピクチャを取得する（２３）ように構成されたプロセッサを含む、ビットストリームからカラー・ピクチャを復号するデバイスにおいて、前記プロセッサが、
前記最終輝度成分（Ｌ）の各画素（ｉ）の値から第１のファクタを取得することと、
前記少なくとも１つのクロミナンス成分に前記第１のファクタを乗算することによって（２２１）、前記少なくとも１つの最終クロミナンス成分を取得すること（２２２）と、
を含む、前記少なくとも１つの最終クロミナンス成分を取得すること（２２）をさらに行うように構成されていることを特徴とする、前記デバイス。
【請求項１５】
プログラムがコンピュータ上で実行されたときに請求項１に記載の符号化方法のステップを実行するプログラム・コード命令を含む、コンピュータ・プログラム製品。
【請求項１６】
プログラムがコンピュータ上で実行されたときに請求項１０に記載の復号方法のステップを実行するプログラム・コード命令を含む、コンピュータ・プログラム製品。
【請求項１７】
少なくとも請求項１に記載の符号化方法のステップをプロセッサに実行させる命令を記憶した、プロセッサ可読媒体。
【請求項１８】
少なくとも請求項１０に記載の復号方法のステップをプロセッサに実行させる命令を記憶した、プロセッサ可読媒体。
【請求項１９】
プログラムがコンピューティング・デバイス上で実行されたときに請求項１〜１８のいずれか１項に記載の方法のステップを実行するプログラム・コードの命令を担持する、非一時的記憶媒体。
【発明の詳細な説明】
【技術分野】
【０００１】
本開示は、概ね、ピクチャ／ビデオの符号化および復号に関する。特に、ただしこれに限定されるわけではないが、本開示の技術分野は、画素値が高ダイナミック・レンジに属するピクチャの符号化／復号に関する。
【背景技術】
【０００２】
本節は、以下に説明し、且つ／または主張する本開示の様々な特徴に関係する可能性がある様々な技術特徴を読者に紹介するための節である。以下の説明は、本開示の様々な特徴をよりよく理解することを容易にするための背景情報を読者に提供する助けになるものと考えられる。従って、これらの記述は、これに照らして読まれるべきものであり、従来技術として自認するものとして読まれるべきものではないことを理解されたい。
【０００３】
以下では、カラー・ピクチャは、サンプル（画素値）のいくつかのアレイを、ピクチャ（もしくはビデオ）の画素値に関する全ての情報、ならびに例えばディスプレイおよび／またはその他の任意のピクチャ（もしくはビデオ）を視覚化および／または復号するデバイスによって使用される可能性がある全ての情報を指定する特定のピクチャ／ビデオ・フォーマットで含んでいる。カラー・ピクチャは、第１のサンプルのアレイの形状をした少なくとも１つの成分、通常はルマ（または輝度）成分と、少なくとも１つの他のサンプルのアレイの形状をした少なくとも１つの別の成分とを含む。すなわち、同等に、同じ情報が、従来の３色ＲＧＢ表現など、カラー・サンプル（カラー成分）のアレイのセットによって表されることもある。
【０００４】
画素値は、Ｃ個の値のベクトルによって表される。ここで、ｃは、成分の数である。ベクトルの各値は、それらの画素値の最大ダイナミック・レンジを規定するいくつかのビットで表される。
【０００５】
スタンダード・ダイナミック・レンジ・ピクチャ（ＳＤＲピクチャ）は、その輝度値が、通常は２またはｆストップの累乗で測定される制限されたダイナミックで表される、カラー・ピクチャである。ＳＤＲピクチャは、約１０ｆストップのダイナミックを有する、すなわち、線形領域中の最も明るい画素と最も暗い画素の間の比が１０００であり、例えばＩＴＵ−Ｒ  ＢＴ．７０９  ＯＥＴＦ（光電伝達関数）（ＩＴＵ−Ｒ勧告ＢＴ．７０９−５、２００２年４月）またはＩＴＵ−Ｒ  ＢＴ．２０２０  ＯＥＴＦ（ＩＴＵ−Ｒ勧告ＢＴ．２０２０−１、２０１４年６月）を使用して、非線形領域で限られたビット数（最も多いのはＨＤＴＶ（高精細度テレビジョン・システム）およびＵＨＤＴＶ（超高精細度テレビジョン・システム）における８または１０）でコード化されて、ダイナミックを低下させる。この制限された非線形表現では、特に暗い輝度範囲および明るい輝度範囲では、小さな信号変動を正しくレンダリングすることができない。ハイ・ダイナミック・レンジ・ピクチャ（ＨＤＲピクチャ）では、信号ダイナミックは、はるかに高くなり（最大で２０ｆストップ、最も明るい画素と最も暗い画素との間の比が１００万）、信号の全範囲にわたって信号の高い精度を維持するためには、新たな非線形表現が必要となる。ＨＤＲピクチャでは、生データは、通常は、浮動小数点フォーマット（各成分について３２ビットまたは１６ビット、すなわち単精度または半精度）（最も一般的なフォーマットは、ｏｐｅｎＥＸＲ半精度フォーマット（ＲＧＢ成分につき１６ビット、すなわち画素ごとに４８ビット））で表されるか、あるいは通常は少なくとも１６ビットの長い表現の整数で表される。
【０００６】
色域は、色の特定の完全なセットである。最も一般的な用法では、所与の色空間内または特定の出力デバイスによるなど、所与の状況で正確に表すことができる色のセットを指す。
【０００７】
色域は、図１に示すように、ＣＩＥ１９３１色空間色度図に与えられるＲＧＢ原色と白色点とによって規定されることもある。
【０００８】
いわゆるＣＩＥ１９３１色空間色度図で原色を規定することは一般的である。これは、輝度成分から独立して色を規定する２次元図（ｘ，ｙ）である。この場合、任意の色ＸＹＺは、以下の変換によってこの図に投影される。
【数１】
2018507619.tif 000003
ｚ＝１−ｘ−ｙ成分も規定されるが、これはこれ以上の情報を担持していない。
【０００９】
この図では、色域は、その頂点が３原色ＲＧＢの（ｘ，ｙ）座標の集合である３角形によって定義される。白色点Ｗは、この３角形に属する、通常は３角形の中心に近い、別の所与の（ｘ，ｙ）点である。
【００１０】
カラー・ボリュームは、色空間と、この色空間内に表される値のダイナミック・レンジとによって定義される。
【００１１】
例えば、色域は、ＵＨＤＴＶについてのＲＧＢ  ＩＴＵ−Ｒ勧告ＢＴ．２０２０色空間によって規定される。さらに古い標準であるＩＴＵ−Ｒ勧告ＢＴ．７０９は、ＨＤＴＶについてのより小さな色域を規定する。ＳＤＲでは、ダイナミック・レンジは、公式にはデータがコード化されるカラー・ボリュームについて最大で１００ｎｉｔ（カンデラ毎平方メートル）まで規定されるが、表示技術によっては、それより明るい画素を示すこともある。
【００１２】
Ｄａｎｎｙ  Ｐａｓｃａｌｅによる「Ａ  Ｒｅｖｉｅｗ  ｏｆ  ＲＧＢ  Ｃｏｌｏｒ  Ｓｐａｃｅｓ」に広範に説明されているように、色域の変更、すなわち３原色および白色点をある色域から別の色域にマッピングする変換は、線形ＲＧＢ色空間内で３×３行列を使用することによって実行することができる。また、ＸＹＺからＲＧＢへの空間の変更も、３×３行列によって実行される。その結果として、色空間がＲＧＢであってもＸＹＺであっても、色域の変更は、３×３行列によって実行することができる。例えば、ＢＴ．２０２０の線形ＲＧＢからＢＴ．７０９のＸＹＺへの色域の変更は、３×３行列によって実行することができる。
【００１３】
ハイ・ダイナミック・レンジ・ピクチャ（ＨＤＲピクチャ）は、その輝度値がＳＤＲピクチャのダイナミックより高いＨＤＲダイナミックで表されるカラー・ピクチャである。
【００１４】
ＨＤＲダイナミックは、まだ標準で規定されていないが、最大で数千ｎｉｔのダイナミック・レンジが予想され得る。例えば、ＨＤＲカラー・ボリュームは、ＲＧＢ  ＢＴ．２０２０色空間で規定され、このＲＧＢ色空間内に表される値は、０から４０００ｎｉｔのダイナミック・レンジに属する。ＨＤＲカラー・ボリュームの別の例は、ＲＧＢ  ＢＴ．２０２０色空間で規定され、このＲＧＢ色空間内に表される値は、０から１０００ｎｉｔのダイナミック・レンジに属する。
【００１５】
ピクチャ（またはビデオ）のカラー・グレーディングは、ピクチャ（またはビデオ）の色を変更／増強するプロセスである。通常は、ピクチャのカラー・グレーディングは、このピクチャに関するカラー・ボリューム（色空間および／またはダイナミック・レンジ）の変更あるいは色域の変更を伴う。従って、同じピクチャの２つの異なるカラー・グレーディング・バージョンは、異なるカラー・ボリューム（または色域）に表される値を有するこのピクチャのバージョン、またはその色のうちの少なくとも１つが異なるカラー・グレードに従って変更／増強されているこのピクチャのバージョンである。これは、ユーザとの対話を伴うこともある。
【００１６】
例えば、映画製作では、３色カメラを使用して、ピクチャおよびビデオを取り込んで、３つの成分（赤、緑、および青）で構成されたＲＧＢ色値にする。ＲＧＢ色値は、センサの３色特性（原色）に依存する。次いで、（個々の劇場用グレードを使用して）劇場用のレンダリングを得るように、取り込んだピクチャの第１のカラー・グレーディング・バージョンを得る。通常は、取り込んだピクチャの第１のカラー・グレーディング・バージョンの値は、ＵＨＤＴＶのパラメータ値を規定するＢＴ．２０２０などの標準化されたＹＵＶフォーマットに従って表される。
【００１７】
ＹＵＶフォーマットは、通常は、線形ＲＧＢ成分に、非線形関数、いわゆる光電伝達関数（ＯＥＴＦ）を適用して、非線形成分Ｒ’Ｇ’Ｂ’を得、次いで得られた非線形Ｒ’Ｇ’Ｂ’成分に色変換（通常は３×３行列）を適用して３つの成分ＹＵＶを得ることによって、実行される。第１の成分Ｙは、輝度成分であり、残りの２つの成分Ｕ、Ｖは、クロミナンス成分である。
【００１８】
次いで、カラリスト（Ｃｏｌｏｒｉｓｔ）が、通常は撮影監督と協働して、芸術的意図を盛り込むために一部の色値を微調整／ツイーク（ｔｗｅａｋ）することによって、取り込んだピクチャの第１のカラー・グレーディング・バージョンの色値に対して制御を実行する。
【００１９】
解決すべき問題は、圧縮ＨＤＲピクチャ（またはビデオ）を配信しながら、同時にそのＨＤＲピクチャ（またはビデオ）のカラー・グレーディング・バージョンを表す関連するＳＤＲピクチャ（またはビデオ）を配信することである。
【００２０】
よくある解決策は、ＳＤＲピクチャ（またはビデオ）およびＨＤＲピクチャ（またはビデオ）の両方を配信インフラストラクチャで同時放送することであるが、その欠点は、ＨＥＶＣ  ｍａｉｎ  １０  ｐｒｏｆｉｌｅ（「Ｈｉｇｈ  Ｅｆｆｉｃｉｅｎｃｙ  Ｖｉｄｅｏ  Ｃｏｄｉｎｇ」、ＳＥＲＩＥＳ  Ｈ：ＡＵＤＩＯＶＩＳＵＡＬ  ＡＮＤ  ＭＵＬＴＩＭＥＤＩＡ  ＳＹＳＴＥＭＳ、ＩＴＵ−Ｔ勧告Ｈ．２６５、Ｔｅｌｅｃｏｍｍｕｎｉｃａｔｉｏｎ  Ｓｔａｎｄａｒｄｉｚａｔｉｏｎ  Ｓｅｃｔｏｒ  ｏｆ  ＩＴＵ、２０１３年４月）などのＳＤＲピクチャ（またはビデオ）を同報通信するように適応された旧来のインフラストラクチャの配信と比較して必要な帯域幅が実質的に２倍になることである。
【００２１】
旧来の配信インフラストラクチャを使用することは、ＨＤＲピクチャ（またはビデオ）の配信の出現を促すための要件である。また、ピクチャ（またはビデオ）のＳＤＲバージョンおよびＨＤＲバージョンの良好な品質を保証しながら、ビット・レートを最小限に抑えるものとする。
【００２２】
さらに、後方互換性を保証することができる、すなわち、ＳＤＲピクチャ（またはビデオ）は、旧来のデコーダおよびディスプレイを有するユーザが見ることができるものとする、すなわち、特に、全体的な知覚される明るさ（すなわち明るいシーンに対する暗いシーン）および知覚される色が保存されなければならない（例えば色相などの保存）。
【００２３】
別の単純な解決策は、適当な非線形関数によってＨＤＲピクチャ（またはビデオ）のダイナミック・レンジを低下させ、通常はＨＥＶＣ  ｍａｉｎ  １０  ｐｒｏｆｉｌｅによって直接圧縮された限られたビット数（例えば１０ビット）にすることである。このような非線形関数（曲線）は、ＳＭＰＴＥでＤｏｌｂｙによって提案されたいわゆるＰＱ  ＥＯＴＦなど、既に存在している（ＳＭＰＴＥ標準：Ｈｉｇｈ  Ｄｙｎａｍｉｃ  Ｒａｎｇｅ  Ｅｌｅｃｔｒｏ−Ｏｐｔｉｃａｌ  Ｔｒａｎｓｆｅｒ  Ｆｕｎｃｔｉｏｎ  ｏｆ  Ｍａｓｔｅｒｉｎｇ  Ｒｅｆｅｒｅｎｃｅ  Ｄｉｓｐｌａｙｓ、ＳＭＰＴＥ  ＳＴ  ２０８４：２０１４）。
【００２４】
この解決策の欠点は、後方互換性がないこと、すなわちピクチャ（ビデオ）の得られる劣化バージョンが、ＳＤＲピクチャ（またはビデオ）として見ることができると考えられるのに十分な視覚的品質を有しておらず、圧縮性能がある程度低いことである。
【００２５】
本開示は、上記のことを念頭に考案されたものである。
【発明の概要】
【００２６】
以下、本開示のいくつかの態様の基本的な理解を与えるために、本開示の簡潔な概要を示す。この概要は、本開示の排他的な概観ではない。この概要は、本開示の重要または不可欠な要素を特定することを意図したものではない。以下の概要は、単に、後述するさらに詳細な説明の前置きとして、本開示のいくつかの態様を簡潔な形態で提示するものである。
【００２７】
本開示は、請求する方法および装置によって従来技術の欠点のうちの少なくとも１つを解消しようとするものである。
【００２８】
ＨＤＲカラー・ピクチャのＳＤＲバージョンを表す輝度成分と２つのクロミナンス成分とを結合することによって得られる色は、ＨＤＲカラー・ピクチャの色の色相および知覚飽和度を保存しないように思えるかもしれない。
【００２９】
このようなＳＤＲピクチャの色の色域を、符号化するＨＤＲカラー・ピクチャの色の色域にマッピングすると、このＨＤＲピクチャに対して色相および知覚飽和度が補正される。
【００３０】
従って、ＨＤＲピクチャの色の色相および知覚飽和度が保存されて、復号されたＳＤＲピクチャの視覚的品質が高まり、その知覚される色は、元のＨＤＲとより良好に一致する。
【００３１】
一態様によれば、輝度成分およびクロミナンス成分を最終輝度成分および２つの最終クロミナンス成分にマッピングすることは、
２つのクロミナンス成分のそれぞれを、輝度成分から得られる変調値と輝度成分の各画素の値とによって決まる第１のファクタでスケーリングすることと、
輝度成分と２つの最終クロミナンス成分とを線形結合することによって最終輝度成分を取得することとを含む。
【００３２】
この態様では、復号された輝度成分とクロミナンス成分とを結合することによってＳＤＲカラー・ピクチャを取得することができる。このＳＤＲカラー・ピクチャは、旧来のＳＤＲディスプレイによって表示することができる。換言すれば、このＳＤＲカラー・ピクチャは、エンドユーザが自分の旧来のＳＤＲディスプレイから見ることができる。従って、この方法は、任意の旧来のＳＤＲディスプレイとの後方互換性をもたらす。さらに、輝度成分およびクロミナンス成分（ＳＤＲカラー・ピクチャ）を上記の最終輝度成分およびクロミナンス成分にマッピングすることによって取得される最終輝度成分およびクロミナンス成分からＨＤＲピクチャを形成することによって、ＳＤＲピクチャとＨＤＲピクチャとの両方を同時通信することを回避することができる。
【００３３】
一態様によれば、少なくとも１つの中間色成分からの２つのクロミナンス成分を得ることは、
各中間色成分の平方根をとることによって、３つの中間成分を得ることと、
この３つの中間成分を線形結合することとを含む。
【００３４】
平方根関数を使用して、符号化側で必要とされるＯＥＴＦ（光電伝達関数）を近似する。このような近似により、明瞭な反転可能な数式が得られ、複雑さの低いデコーダが得られる。これは、部分的には、デコーダ側でフル・ダイナミック入力ピクチャを復号するために適用されるＥＯＴＦ（電気光学伝達関数）が２次関数になるからである。
【００３５】
また、平方根は、主に０．４５の累乗となる、ＨＤ／ＵＨＤ  ＴＶで使用されるＩＴＵ−Ｒ勧告ＢＴ．７０９／ＢＴ．２０２０で規定される標準的なＳＤＲ  ＯＥＴＦの良好な近似であるので、ＳＤＲピクチャは、ある程度一貫した色を示す。
【００３６】
本開示の別の態様によれば、本開示は、ビットストリームからカラー・ピクチャを復号する方法に関する。
【００３７】
本開示の他の態様によれば、本開示は、上記の方法を実施するように構成されたプロセッサを含むデバイス、コンピュータ上で実行されたときに上記の方法のステップを実行するプログラム・コード命令を含むコンピュータ・プログラム製品、少なくとも上記の方法のステップをプロセッサに実行させる命令を記憶したプロセッサ可読媒体、そのプログラムがコンピューティング・デバイス上で実行されたときに上記の方法のステップを実行するプログラム・コードの命令を担持する非一時的記憶媒体に関する。
【００３８】
本開示の特定の性質ならびに本開示のその他の目的、利点、特徴、および用途は、以下の実施形態の説明を添付の図面と関連付けて読めば明らかになるであろう。
【００３９】
図面には、本開示の実施形態が示してある。図面は以下の通りである。
【図面の簡単な説明】
【００４０】
【図１】色度図の例を示す図である。
【図２】本開示の実施形態によるカラー・ピクチャを符号化する方法のステップを示す概略図である。
【図３】本開示による色域マッピングの原理を示す図である。
【図４】本開示の実施形態によるステップ１２のサブステップを示す概略図である。
【図５】本開示の実施形態によるステップ１１のサブステップを示す概略図である。
【図６】本開示の実施形態によるステップ１７０のサブステップを示す概略図である。
【図７】本開示の実施形態によるステップ１７０のサブステップを示す概略図である。
【図８】本開示の実施形態による少なくとも１つのビットストリームからカラー・ピクチャを復号する方法のステップを示す概略図である。
【図９】本開示の実施形態によるステップ２２のサブステップを示す概略図である。
【図１０】本開示の実施形態によるステップ２３のサブステップを示す概略図である。
【図１１ａ】本開示の実施形態によるステップ２３０のサブステップを示す概略図である。
【図１１ｂ】本開示の実施形態によるステップ２３０のサブステップを示す概略図である。
【図１２】本開示の実施形態によるステップ２３１のサブステップを示す概略図である。
【図１３】本開示の実施形態によるデバイスのアーキテクチャの例を示す図である。
【図１４】本開示の実施形態による通信ネットワークを介して通信する２つの遠隔デバイスを示す図である。
【図１５】色域のＣＩＥ１９３１図の要素のセットの例を示す図である。
【発明を実施するための形態】
【００４１】
同様の、または同じ要素は、同じ参照番号で示してある。
【００４２】
以下、本開示について、本開示の実施形態を示す添付の図面を参照して、より完全に説明する。ただし、本開示は、多くの代替の形態で実施することができ、本明細書に記載する実施形態に限定されるものと解釈すべきではない。従って、本開示には、様々な修正および代替形態の余地があるが、本開示の具体的な実施形態を、例示を目的として図面に示し、本明細書において詳細に説明する。ただし、本開示を開示する特定の形態に限定する意図はなく、むしろ、本開示は、特許請求の範囲によって規定される本開示の趣旨および範囲内に含まれる全ての修正形態、均等物、および代替形態をカバーするものと理解されたい。
【００４３】
本明細書で使用する用語は、特定の実施形態を説明するためのものに過ぎず、本開示を制限するように意図されたものではない。本明細書で使用する単数形「ａ」、「ａｎ」（「或る」、「一つ」）、および「ｔｈｅ」（「この」、「その」）は、文脈から明らかに複数形を含まないことが分かる場合を除き、複数形も含むものとして意図されている。さらに、本明細書で使用する「備える」、「備えている」、「含む」、および／または「含んでいる」という用語は、記載される特徴、整数、ステップ、動作、要素、および／または成分が存在することを示すものであり、１つまたは複数のその他の特徴、整数、ステップ、動作、要素、成分、および／またはそれらのグループが存在すること、または追加されることを排除するものではない。さらに、ある要素が別の要素に「応答する」または「接続される」と述べられるとき、その要素がその別の要素に直接応答する、または接続されていることもあれば、介在する要素が存在することもある。これに対して、ある要素が別の要素に「直接応答する」または「直接接続される」と述べられるときには、介在する要素は存在しない。本明細書で使用する「および／または」という用語は、関連する列挙した品目のうちの１つまたは複数の任意の全ての組合せを含み、「／」と略記されることもある。
【００４４】
本明細書では、第１、第２などの用語を使用して様々な要素について述べているが、これらの要素は、これらの用語によって限定されないことは理解されるであろう。これらの用語は、単に１つの要素を別の要素と区別するために使用しているものである。例えば、第１の要素は、第２の要素と称してもよく、同様に、第２の要素を第１の要素と称しても、本開示の教示から逸脱することはない。
【００４５】
図面の一部は、通信の主要な方向を示すために通信経路上に矢印を含んでいるが、通信は、図示した矢印とは反対の方向に起こることもあることを理解されたい。
【００４６】
いくつかの実施形態は、各ブロックが回路要素、モジュール、あるいは１つまたは複数の特定の論理機能を実施するための１つまたは複数の実行可能な命令を含むコードの一部分を表す、ブロック図および動作流れ図に関連して説明する。また、実施態様が異なれば、ブロック中に記された１つまたは複数の機能が、記された以外の順序で起こることもあることに留意されたい。例えば、連続して示される２つのブロックが、関連する機能に応じて、実際には実質的に同時に実行されることもあり、あるいは、それらのブロックが逆の順序で実行されることもある。
【００４７】
本明細書で「一実施形態」または「実施形態」と述べている場合、それは、その実施形態に関連して述べられる特定の機能、構造、または特徴が、本開示の少なくとも１つの実施態様に含まれる可能性があるという意味である。本明細書の様々な箇所で「一実施形態では」または「実施形態によれば」という文言が見られるが、それら全てが必ずしも同じ実施形態を指しているわけではなく、また、別個のまたは代替の実施形態は、必ずしも相互に他の実施形態を排除するわけではない。
【００４８】
特許請求の範囲に見られる参照番号は、例示のみを目的としたものであり、特許請求の範囲を限定する効果を有するものではない。
【００４９】
明示的には述べていないが、本開示の実施形態および変形例は、任意の組合せまたは部分的組合せで利用することができる。
【００５０】
実施形態では、ファクタ（すなわち実数値）は、変調値Ｂａによって決まる。変調（またはバックライト）値は、通常はＨＤＲピクチャに関連し、ＨＤＲピクチャの明るさを表す。ここで、（変調）バックライトという用語は、例えばＬＣＤパネルなどのカラー・パネルと、例えばＬＥＤアレイなどの後方照明装置とで構成されたＴＶセットの類推で使用したものである。通常は白色光を生成する後方装置は、カラー・パネルを照明してＴＶにさらなる明るさを提供するために使用される。その結果として、ＴＶの輝度は、後方照明器の輝度とカラー・パネルの輝度の積となる。この後方照明器は、しばしば「変調」または「バックライト」と呼ばれ、その強度は全体のシーンの明るさをある程度表している。
【００５１】
本開示は、カラー・ピクチャの符号化／復号について説明するが、ピクチャのシーケンス（ビデオ）の符号化／復号にも拡張される。これは、そのシーケンスの各カラー・ピクチャが、以下で述べるように連続して符号化／復号されるからである。
【００５２】
以下では、カラー・ピクチャＩは、カラー・ピクチャＩの画素値が表される３つのカラー成分Ｅｃ（ｃ＝１、２、または３）を有するものとみなす。
【００５３】
本開示は、３つの成分Ｅｃが表されるいかなる色空間にも限定されず、ＲＧＢ、ＣＩＥＬＵＶ、ＸＹＺ、ＣＩＥＬａｂなど、任意の色空間に拡張される。
【００５４】
図２は、本開示の実施形態によるカラー・ピクチャＩを符号化する方法のステップを示す概略図である。
【００５５】
ステップ１１で、モジュールＣは、符号化対象のカラー・ピクチャＩから輝度成分Ｌと２つのクロミナンス成分Ｃ１およびＣ２を得る。例えば、これらの成分（Ｌ，Ｃ１，Ｃ２）は、カラー・ピクチャＩにＯＥＴＦを適用した後に得られるＹＵＶ色空間に属することがあり、カラー成分Ｅｃは、線形のＲＧＢまたはＸＹＺ色空間の何れかに属することがある。
【００５６】
ステップ１２で、モジュールＧＭは、輝度ＬおよびクロミナンスＣ１およびＣ２の成分を、最終輝度成分（Ｌ”）および最終クロミナンス成分（Ｃ”１，Ｃ”２）から得られる色の色域Ｇ２が符号化対象のカラー・ピクチャＩの色の色域Ｇ１上にマッピングされるように、最終輝度成分Ｌ”および２つの最終クロミナンス成分Ｃ”１，Ｃ”２にマッピングする。
【００５７】
図３は、このような色域マッピングを示している。破線内に、成分Ｌおよび２つのクロミナンス成分Ｃ１およびＣ２から得られる色の色域（Ｒ，Ｇ，Ｂ，Ｗ）が表され、実線内に、符号化対象のピクチャＩの色の色域（Ｒ’，Ｇ’，Ｂ’，Ｗ’）が表されている。
【００５８】
色域（Ｒ，Ｇ，Ｂ，Ｗ）を色域（Ｒ’，Ｇ’，Ｂ’，Ｗ’）にマッピングするということは、原色Ｒ，Ｇ，Ｂを原色Ｒ’，Ｇ’，Ｂ’にそれぞれマッピングし、白色点Ｗを白色点Ｗ’にマッピングすることを意味する。このマッピングの目的は、Ｌ”成分、Ｃ”１成分、Ｃ”２成分から得られる知覚される色が、（Ｌ，Ｃ１，Ｃ２）よりも良好にカラー・ピクチャＩの色と一致するように、（Ｌ，Ｃ１，Ｃ２）を（Ｌ”，Ｃ”，Ｃ”２）に変換することである。
【００５９】
ステップ１３で、符号化器ＥＮＣは、最終輝度Ｌ”成分および２つの最終クロミナンス成分Ｃ”１，Ｃ”２を符号化する。
【００６０】
実施形態によれば、符号化された成分Ｌ”およびクロミナンス成分Ｃ”１，Ｃ”２は、ローカルまたは遠隔のメモリに記憶され、且つ／あるいはビットストリームＦに追加される。
【００６１】
図４に示すステップ１２の実施形態によれば、２つの最終クロミナンス成分Ｃ”１，Ｃ”２は、２つのクロミナンス成分Ｃ１，Ｃ２のそれぞれを、輝度成分Ｌの各画素ｉの値によって決まるファクタβ−１（Ｌ（ｉ））によってスケーリングする（ステップ１２１）ことによって得られ、モジュールＬＣＣ（ステップ１２２）は、以下のように、輝度成分Ｌと２つの最終クロミナンス成分Ｃ”１，Ｃ”２とを線形結合することによって最終輝度成分Ｌ”を得る。
【数２】
2018507619.tif 000004
ここで、ｍおよびｎは、最高の輝度ピークを補正することによって色飽和を回避する係数（実数値）である。
【００６２】
変形例によれば、ファクタβ−１（Ｌ（ｉ））は、さらに変調値Ｂａによって決まる。
【００６３】
実施形態によれば、係数ｍおよびｎは、ローカルまたは遠隔のメモリに記憶され、且つ／あるいは図４に示すようにビットストリームＢＦに追加される。
【００６４】
（数式Ａの）モジュールＬＣＣの変形例によれば、最終輝度成分Ｌ”の値は、以下のように、常に輝度成分Ｌの値より小さい。
Ｌ”＝Ｌ−ｍａｘ（０，ｍＣ”１＋ｎＣ”２）
【００６５】
これにより、最終輝度成分Ｌ”の値が輝度成分Ｌの値を超えないことが保証され、従って、色飽和が起きないことが保証される。
【００６６】
実施形態によれば、ファクタβ−１（Ｌ（ｉ））は、特定の輝度値Ｌ（ｉ）についての、また任意選択でさらに特定の変調値Ｂａについてのルックアップ・テーブル（ＬＵＴ）から得られる。従って、例えば１０００ｎｉｔ、１５００ｎｉｔ、および４０００ｎｉｔなどの複数の輝度ピーク値について、特定のファクタβ−１（Ｌ（ｉ））が、各特定の変調値ＢａについてのＬＵＴに記憶される。
【００６７】
変形例によれば、ＬＵＴが記憶される複数の輝度ピークの間の輝度ピークを補間することによって、輝度成分Ｌの画素の値について、ファクタβ−１（Ｌ（ｉ））を得る。
【００６８】
変形例によれば、ＬＵＴが記憶される複数の輝度ピークの間の輝度ピークを補間することによって、輝度成分Ｌの画素の値について、特定の変調値Ｂａについてのファクタβ−１（Ｌ（ｉ））を得る。
【００６９】
実施形態によれば、方程式（Ａ）におけるファクタβ−１（Ｌ（ｉ））ならびに係数ｍおよびｎは、以下のように得られる。
【００７０】
最終輝度成分（Ｌ”）およびクロミナンス成分（Ｃ”１，Ｃ”２）から得られる色の色域Ｇ２の、（成分Ｌ，Ｃ１，Ｃ２から得られる）カラー・ピクチャＩの色の色域Ｇ１へのマッピングは、以下で与えられる。
【数３】
2018507619.tif 000005
ここで、ΦＢａ（Ｙ）は、カラー・ピクチャＩの線形輝度Ｙに依存するマッピング関数である。通常は、線形輝度Ｙは、カラー・ピクチャＩの成分Ｅｃの線形結合として得られる。輝度成分Ｌは、線形輝度Ｙおよびバックライト値Ｂａと明快に関係しており、
ΦＢａ（Ｙ）＝ΦＢａ（ｆ（Ｂａ，Ｙ））＝ΦＢａ（Ｌ）
と書くことができるようになっており、マッピング関数は、輝度成分Ｌの関数と見られる。
【００７１】
次に、変調値Ｂａおよび特定の線形輝度レベルＹ０を固定する。色成分Ｅｃは、線形ＲＧＢ色空間で表されるものと仮定する。色域Ｇ２の関連する３原色
2018507619.tif 000006
、
2018507619.tif 000007
、
2018507619.tif 000008
は、
【数４】
2018507619.tif 000009
で与えられる。ここで、Ａ１は、線形ＲＧＢから線形輝度Ｙを規定する行ベクトルである、すなわち、
【数５】
2018507619.tif 000010
である。
【００７２】
Ｓが、以下のように、これら３原色の、モジュールＣの適用（ステップ１１）に対応する画像μ（．）で構成された３×３行列を表すものとする。
【数６】
2018507619.tif 000011
マッピング関数ΦＢａ（Ｌ）の目的は、
2018507619.tif 000012
を色域Ｇ２の３原色に逆にマッピングすることである。換言すれば、行列
2018507619.tif 000013
は、以下の形態でなければならない。
【数７】
2018507619.tif 000014
ここで、ｒ、ｇ、ｂは、未知のパラメータであり、Ａは、非線形色空間Ｒ’Ｇ’Ｂ’をＬＣ１Ｃ２の色空間に変換する３×３行列である。全てを勘案すると、以下が得られる。
【数８】
2018507619.tif 000015
【００７３】
また、ＬＣ１Ｃ２の色空間内の座標が［１  ０  ０］である白色点の保存により、以下のように別の条件が得られる。
【数９】
2018507619.tif 000016
ここで、ηは、別の未知のパラメータである。その結果として、行列Ｄは、以下のように一意的に決定される。
【数１０】
2018507619.tif 000017
ここで、除算は、Ａ−１の第１列の
2018507619.tif 000018
の第１列による係数除算として理解される。その結果として、このマッピング行列は、スケーリングファクタηまで決定される。
【００７４】
復号側で必要とされるマッピング関数ΦＢａ（Ｌ）の逆数は、Ｌの陰的非線形問題を解く必要があるので、容易には得られない。これは、逆行列ΦＢａ−１（Ｌ）は輝度成分Ｌの関数として容易に得られるが、それに対応するΦＢａ−１（Ｌ”）は最終輝度成分Ｌ”の関数として容易に得られないからである。発明者等は、単純な逆数ΦＢａ−１（Ｌ”）を得るためにΦＢａ（Ｌ）の定式化をさらに容易にすることができることを示す。
【００７５】
実際には、マッピング関数は、以下のように表現することができる。
【数１１】
2018507619.tif 000019
ここで、ｍおよびｎは、輝度レベルＹ０によって決まる係数（実数値）である。マッピング関数ΦＢａ（Ｌ）の逆数
2018507619.tif 000020
は、以下で与えられる。
【数１２】
2018507619.tif 000021
ここで、第１列は、以下で与えられる。
【数１３】
2018507619.tif 000022
いくつかの代数処理を経て、方程式（Ｆ）が
【数１４】
2018507619.tif 000023
となり、これより、マッピング関数
【数１５】
2018507619.tif 000024
が得られることが分かる。ここで、ｍおよびｎは、変調値Ｂａおよび輝度成分Ｌに依存しない実数値（係数）であり、β＝β（Ｂａ、Ｌ（ｉ））であり、以下の固定行列が定義されている。
【数１６】
2018507619.tif 000025
【００７６】
方程式（Ｂ）および（Ｇ）は、このマッピング関数が２つの効果を有することを示している。第１に、輝度成分Ｌのダイナミックが、スケーリングファクタηでスケーリングされることと、第２に、クロミナンス成分Ｃ１およびＣ２も、スケーリングファクタηβ−１でスケーリングされることである。
【００７７】
ＬとＬ”の間の大域輝度マッピングを保存するために、パラメータηは、１に設定する。方程式（Ｇ）は、以下のようになる。
【数１７】
2018507619.tif 000026
ここで、βは、変調値Ｂａおよび輝度成分によって決まる。この数式を判定すると、以下の逆マッピング関数が得られる。
【数１８】
2018507619.tif 000027
【００７８】
ここで、輝度成分Ｌは、行列
2018507619.tif 000028
を適用することによって、Ｌ”、Ｃ”１、Ｃ”２から得られ、次いで、Ｌが既知であることから、ファクタβ（Ｂａ，Ｌ（ｉ））を決定して、最終クロミナンス成分Ｃ”１，Ｃ”２に適用して、クロミナンス成分Ｃ１，Ｃ２を得る。
【００７９】
次いで、方程式（Ｈ）によって、マッピング関数ΦＢａ（Ｌ）が与えられる。ここで、カラー画像Ｉの輝度ピークＰまでの全ての輝度レベルについて定数行列Φ０を使用し、βは、輝度ピークＰまでの全範囲の輝度について規定されている。
【００８０】
方程式（Ｈ）を方程式（Ｂ）に含めると、方程式（Ａ）が得られる。
【００８１】
別の実施形態によれば、ファクタβ−１（Ｂａ，Ｌ（ｉ），ｍ，ｎ）は、上記の実施形態で説明したように与えられる係数ｍおよびｎによっても決まると考えられる。
【００８２】
従って、ファクタβ−１は、ステップ１２の単一の未知の値である。
【００８３】
ファクタβ−１は、色域Ｇ１とＧ２の間で計算される色域歪みが最小限に抑えられるように得る。換言すれば、ファクタβ−１は、色域保存の条件下の最適のファクタである。
【００８４】
数学的には、ファクタβ−１は、以下で得られる。
【数１９】
2018507619.tif 000029
ここで、Ｙ０は、そこから輝度値Ｌ０を推定する所与の輝度値であり、Ｂａ０は、与えられる所与の変調値であり、色域歪みＧＤ（βｔｅｓｔ−１）は、以下で与えられる。
【数２０】
2018507619.tif 000030
ここで、色域歪みは、色域Ｇ１の要素（ｘｊ，ｙｊ）と色域Ｇ２の関連する要素（ｘ’ｊ，ｙ’ｊ）の間の二乗誤差の和で定義される。
【００８５】
輝度値Ｙ０を固定する。この集合の各要素の対応するＸＹＺ値は、
Ｘｊ＝Ｙ０ｘｊ／ｙｊ、Ｙｊ＝Ｙ０、およびＺｊ＝Ｙ０（１−ｘｊ−ｙｊ）／ｙｊ
によって得られ、次いで、対応する色値Ｅｃｊ（ｃ＝１、２、または３）が得られる。変調値Ｂａ０と、ステップ１２１でβ−１（Ｂａ０，Ｌ０，ｍ，ｎ）に使用される試験ファクタβｔｅｓｔ−１とを固定して課す。
【００８６】
ステップ１１および１２で構成されるコード化チェーンを色成分に適用することによって、最終値Ｌ”ｊ、Ｃ”１ｊおよびＣ”２ｊを得る。これらの最終値から、ＣＩＥ１９３１図中の関連する要素（ｘ’ｊ，ｙ’ｊ）の関連する色域セットを推定する。
【００８７】
図１５は、色域のＣＩＥ１９３１図中の要素（ｘｊ，ｙｊ）のセットの例を示す図である。なお、各要素（ｘｊ，ｙｊ）のＸＹＺ座標は、
Ｘｊ＝Ｙ０ｘｊ／ｙｊ、Ｙｊ＝Ｙ０、およびＺｊ＝Ｙ０（１−ｘｊ−ｙｊ）／ｙｊ
で与えられることに留意されたい。
【００８８】
変調値Ｂａ０および輝度成分Ｌ０を変化させ、関連する色域歪みＧＤ（．）を最小限に抑えることにより、固定係数ｍおよびｎについての、変調値Ｂａ０および輝度成分Ｌ０によって決まる全てのファクタβ−１（Ｂａ０，Ｌ０，ｍ，ｎ）が得られる。
【００８９】
図５に示すステップ１１の実施形態によれば、ステップ１１０で、モジュールＩＣは、以下のように３つの成分Ｅｃを線形結合することによって、カラー・ピクチャＩの輝度を表す成分Ｙを得る。
【数２１】
2018507619.tif 000031
ここで、Ａ１は、（Ｅ１，Ｅ２，Ｅ３）色空間から色空間（Ｙ，Ｃ１，Ｃ２）への色空間変換を定義する３×３行列Ａの第１行である。
【００９０】
ステップ１３０で、モジュールＦＭは、以下のように、非線形関数ｆを成分Ｙに適用することによって、輝度成分Ｌを得る。
Ｌ＝ｆ（Ｂａ，Ｙ）  （１）
ここで、Ｂａは、モジュールＢａＭ（ステップ１２０）によって成分Ｙから得られる変調値である。
【００９１】
成分Ｙに非線形関数ｆを適用することにより、そのダイナミック・レンジが低下する。換言すれば、輝度成分Ｌのダイナミックは、成分Ｙのダイナミックと比較して低下する。
【００９２】
基本的には、成分Ｌの輝度値が１０ビットを使用して表されるように、成分Ｙのダイナミック・レンジを低下させる。
【００９３】
実施形態によれば、以下のように、成分Ｙを変調値Ｂａで割った後に、非線形関数ｆを適用する。
Ｌ＝ｆ（Ｙ／Ｂａ）  （２）
【００９４】
実施形態によれば、非線形関数ｆは、以下のようにガンマ関数である。
【数２２】
2018507619.tif 000032
ここで、Ｙ１は、方程式（１）または（２）の実施形態に応じてＹまたはＹ／Ｂａの何れかと等しく、Ｂは定数値であり、γは、パラメータ（厳密に１未満の実数値）である。
【００９５】
実施形態によれば、非線形関数ｆは、以下のようにＳ−Ｌｏｇ関数である。
Ｌ＝ａ．ｌｎ（Ｙ１＋ｂ）＋ｃ
ここで、ａ、ｂ、およびｃは、ｆ（０）およびｆ（１）が不変量となるように決定されたＳＬｏｇ曲線のパラメータ（実数値）であり、ＳＬｏｇ曲線の導関数は、１未満でガンマ曲線によって延長されたときに１で連続的である。従って、ａ、ｂ、およびｃは、パラメータγの関数である。
【００９６】
代表的な値を、表１に示す。
【表１】
2018507619.tif 000033
【００９７】
有利な実施形態では、１／２．５に近いγの値が、ＨＤＲ圧縮性能、および得られるＳＤＲルマの良好な視認性の点で効率的である。従って、この３つのパラメータは、ａ＝０．４４９５５１１４、ｂ＝０．１２１２３６９１、ｃ＝０．９４８５５６８４の値をとると有利であることがある。
【００９８】
実施形態によれば、非線形関数ｆは、成分Ｙの画素値に応じて、ガンマ補正またはＳＬｏｇ補正の何れかである。
【００９９】
成分Ｙにガンマ補正を適用して、暗領域を引き上げるが、明るい画素の焼き込みを回避するのに十分なハイライトを低下させることはない。
【０１００】
次いで、実施形態によれば、モジュールＦＭは、成分Ｙの画素値に応じて、ガンマ補正またはＳＬｏｇ補正の何れかを適用する。情報データｉｎｆは、ガンマ補正またはＳＬｏｇ補正の何れが適用されるかを示すことができる。
【０１０１】
例えば、成分Ｙの画素値がしきい値（１に等しい）未満であるときには、ガンマ補正が適用され、そうでないときには、ＳＬｏｇ補正が適用される。
【０１０２】
ステップ１２０の実施形態によれば、変調値Ｂａは、成分Ｙの画素値の平均値、中央値、最小値、または最大値である。これらの演算は、線形ＨＤＲ輝度領域Ｙｌｉｎで、あるいはｌｎ（Ｙ）またはＹγ（γ＜１）などの非線形領域で実行することができる。
【０１０３】
実施形態によれば、この方法を使用して、ピクチャのシーケンスに属するいくつかのカラー・ピクチャを符号化するときには、各カラー・ピクチャについて、グループ・オブ・ピクチャ（ＧＯＰ）について、あるいはこれらに限定されるわけではないが、スライスまたはＨＥＶＣで定義される転送単位などのカラー・ピクチャの一部について、変調値Ｂａを決定する。
【０１０４】
実施形態によれば、値Ｂａ、および／または非線形関数ｆのパラメータ（ａ、ｂ、ｃ、もしくはγなど）、および／または情報データｉｎｆは、ローカルまたは遠隔のメモリに記憶され、且つ／あるいは図２および図５に示すようにビットストリームＢＦに追加される。
【０１０５】
ステップ１４０で、モジュールＣＣは、カラー・ピクチャＩから少なくとも１つの色成分Ｅｃ（ｃ＝１、２、３）を得る。色成分Ｅｃは、ローカルまたは遠隔のメモリから直接得ることもあれば、あるいはカラー・ピクチャＩに色変換を適用することによって得ることもある。
【０１０６】
ステップ１５０で、以下のように各色成分Ｅｃを輝度成分Ｌによって決まるファクタｒ（Ｌ）によってスケーリングすることによって、中間色成分Ｅ’ｃ（ｃ＝１、２、または３）を得る。
【数２３】
2018507619.tif 000034
ここで、ｒ（Ｌ（ｉ））は、モジュールＲＭ（ステップ１６０）によって決定される、成分Ｌの画素ｉの値によって決まるファクタ（実数値）であり、Ｅ’ｃ（ｉ）は、中間色成分Ｅ’ｃの画素ｉの値であり、Ｅｃ（ｉ）は、色成分Ｅｃの画素ｉの値である。
【０１０７】
ファクタによるスケーリングとは、そのファクタを掛ける、またはそのファクタの逆数で割ることを意味する。
【０１０８】
各色成分Ｅｃを輝度成分Ｌによって決まるファクタｒ（Ｌ）でスケーリングすることにより、カラー・ピクチャＩの色の色相が保存される。
【０１０９】
ステップ１６０の実施形態によれば、ファクタｒ（Ｌ）は、以下のように、成分Ｙに対する輝度成分Ｌの比である。
【数２４】
2018507619.tif 000035
ここで、Ｙ（ｉ）は、成分Ｙの画素ｉの値である。実際には、成分Ｙの画素の値Ｙ（ｉ）は、輝度成分Ｌの画素の値Ｌ（ｉ）に明瞭に依存して、その比をＬ（ｉ）のみの関数として書くことができるようになっている。
【０１１０】
この実施形態は、各色成分Ｅｃをさらに成分Ｙにも依存するファクタｒ（Ｌ）でスケーリングすることによって、カラー・ピクチャＩの色の色相が保存され、それにより復号されたカラー・ピクチャの視覚的品質が改善されるので有利である。
【０１１１】
さらに厳密には、測色法および色彩理論では、彩度（ｃｏｌｏｒｆｕｌｎｅｓｓ）、クロマ（ｃｈｒｏｍａ）、および飽和度（ｓａｔｕａｔｉｏｎ）は、特定の色の知覚強度を指す。彩度は、或る色とグレーとの間の差の程度である。クロマは、同様の視認条件下で白く見える別の色の明るさに対する彩度である。飽和度は、自己の輝度に対する或る色の彩度である。
【０１１２】
非常に彩度の高い刺激は鮮やかで強いが、それほど彩度の高くない刺激は、よりぼけて見え、よりグレーに近く見える。彩度が全くないと、色は「ニュートラル」グレーである（何れの色でも彩度がないピクチャは、グレースケールと呼ばれる）。任意の色は、その彩度（またはクロマもしくは飽和度）、明度（または明るさ）、および色相によって記述することができる。
【０１１３】
色の色相および飽和度の定義は、その色を表すために使用される色空間に依存する。
【０１１４】
例えば、ＣＩＥＬＵＶ色空間を使用するときには、飽和度Ｓｕｖは、以下のようにクロマ
2018507619.tif 000036
と輝度Ｌ＊の間の比として定義される。
【数２５】
2018507619.tif 000037
【０１１５】
この場合、色相は、以下で与えられる。
【数２６】
2018507619.tif 000038
【０１１６】
別の例によれば、ＣＩＥＬＡＢ色空間を使用するときには、飽和度は、以下のように輝度に対するクロマの比として定義される。
【数２７】
2018507619.tif 000039
【０１１７】
この場合、色相は、以下で与えられる。
【数２８】
2018507619.tif 000040
【０１１８】
これらの方程式は、飽和度の人間の知覚と一致する飽和度および色相の妥当な予測子であり、角度ａ＊／ｂ＊（またはｕ＊／ｖ＊）を固定して保持しながらＣＩＥＬＡＢ（またはＣＩＥＬＵＶ）色空間内で明るさを調節すると、色相が影響を受け、従って同色の知覚が影響を受けることを実証している。ステップ１５０で、色成分Ｅｃを同じファクタでスケーリングして、この角度を保存し、従って色相を保存する。
【０１１９】
ここで、カラー・ピクチャＩがＣＩＥＬＵＶ色空間内に表され、ピクチャＩ２が、カラー・ピクチャＩの輝度のダイナミック・レンジと比較して低下した（ステップ１３０）ダイナミック・レンジを有する輝度成分Ｌと、ＣＩＥＬＵＶ色空間の２つのクロミナンス成分Ｕ（＝Ｃ１）およびＶ（＝Ｃ２）とを結合することによって形成されるものと考える。従って、ピクチャＩ２の色は、それらの色の飽和度および色相が変化したために、人の目に違う色として知覚される。この方法（ステップ１５０）は、ピクチャＩ２の色の色相がカラー・ピクチャＩの色の色相と最もよく一致するように、ピクチャＩ２のクロミナンス成分Ｃ１およびＣ２を決定する。
【０１２０】
ステップ１６０の実施形態によれば、ファクタｒ（Ｌ）は、以下で与えられる。
【数２９】
2018507619.tif 000041
【０１２１】
この最後の実施形態は、このファクタが非常に暗い画素でゼロになることを防止する、すなわちその比を画素値に関わらず反転可能になるようにすることができるので、有利である。
【０１２２】
ステップ１７０で、上記の少なくとも１つの中間色成分Ｅ’ｃから、２つのクロミナンス成分Ｃ１，Ｃ２を得る。
【０１２３】
図６に示すステップ１７０の実施形態によれば、以下のようにＯＥＴＦを各中間色成分（Ｅ’ｃ）に適用する（ステップ１７１）によって、少なくとも１つの中間成分Ｄｃ（ｃ＝１、２、または３）を得る。
【数３０】
2018507619.tif 000042
例えば、ＯＥＴＦは、ＩＴＵ−Ｒ勧告ＢＴ．７０９またはＢＴ．２０２０によって規定され、以下のように表される。
【数３１】
2018507619.tif 000043
【０１２４】
この実施形態により、個々のＯＥＴＦに応じてダイナミック・レンジを低下させることが可能になるが、以下で述べるように複雑な復号プロセスとなる。
【０１２５】
図７に示すこの実施形態の変形例によれば、ＯＥＴＦを平方根で近似する、すなわち、以下のように各中間色成分（Ｅ’ｃ）の平方根をとる（ステップ１７１）ことによって、少なくとも１つの中間成分Ｄｃ（ｃ＝１、２、または３）を得る。
【数３２】
2018507619.tif 000044
【０１２６】
この実施形態は、ＩＴＵ−Ｒ勧告ＢＴ．７０９またはＢＴ．２０２０によって規定されるＯＥＴＦの良好な近似を提供し、複雑さの低いデコーダが得られるので、有利である。
【０１２７】
この実施形態の別の変形例によれば、ＯＥＴＦを立方根で近似する、すなわち、以下のように各中間色成分（Ｅ’ｃ）の立方根をとる（ステップ１７１）ことによって、少なくとも１つの中間成分Ｄｃ（ｃ＝１、２、または３）を得る。
【数３３】
2018507619.tif 000045
【０１２８】
この実施形態は、ＩＴＵ−Ｒ勧告ＢＴ．７０９またはＢＴ．２０２０によって規定されるＯＥＴＦの良好な近似を提供するので有利であるが、ＯＥＴＦを平方根で近似したときに得られるデコーダよりは多少複雑なデコーダとなる。
【０１２９】
ステップ１７２で、モジュールＬＣ１は、以下のように３つの中間成分Ｄｃを線形結合することによって、２つのクロミナンス成分Ｃ１およびＣ２を得る。
【数３４】
2018507619.tif 000046
ここで、Ａ２およびＡ３は、３×３行列Ａの第２行および第３行である。
【０１３０】
図８は、本開示の実施形態による少なくとも１つのビットストリームからカラー・ピクチャを復号する方法のステップを示す概略図である。
【０１３１】
ステップ２１で、デコーダＤＥＣは、ローカルまたは遠隔のメモリから、あるいはビットストリームＦを少なくとも部分的に復号することによって、輝度成分Ｌ”および２つのクロミナンス成分Ｃ”１，Ｃ”２を得る。
【０１３２】
ステップ２２で、モジュールＩＧＭは、上記の輝度成分Ｌ”およびクロミナンス成分Ｃ”１，Ｃ”２から得られる色に逆マッピングを適用することによって、上記の輝度成分Ｌ”およびクロミナンス成分Ｃ”１，Ｃ”２から最終輝度成分Ｌおよび２つの最終クロミナンス成分Ｃ１，Ｃ２を得る。
【０１３３】
ステップ２３で、モジュールＩＮＶＣは、上記の最終輝度成分Ｌおよび上記の２つの最終クロミナンス成分Ｃ１、Ｃ２から、復号対象のカラー・ピクチャの少なくとも１つの色成分Ｅｃを得る。復号されたピクチャは、上記の少なくとも１つの色成分Ｅｃを結合することによって得られる。
【０１３４】
図９に示すステップ２２の実施形態によれば、モジュールＩＬＣＣは、輝度成分Ｌ”と２つのクロミナンス成分Ｃ”１，Ｃ”２とを線形結合することによって最終輝度成分Ｌを得（ステップ２２２）、２つの最終クロミナンス成分Ｃ１、Ｃ２は、２つのクロミナンス成分Ｃ”１，Ｃ”２のそれぞれを、最終輝度成分Ｌの各画素ｉの値によって決まるファクタβ（Ｌ（ｉ））でスケーリングする（ステップ２２１）ことによって得られる。以下の通りである。
【数３５】
2018507619.tif 000047
ここで、ｍおよびｎは、係数（実数値）である。係数ｍおよびｎは、方程式（Ｇ）中の行列ΦＢａ（Ｌ）の因数分解によって得られる係数とすることができる、すなわち、ｍおよびｎは、Φ０で得られる係数である。その結果として、これらの係数は、カラー・ピクチャＩの色域（例えばＢＴ．７０９またはＢＴ．２０２０の色域）によって決まる。ｍおよびｎの代表的な値は、間隔［０．１，０．５］でｍ≒ｎである。
【０１３５】
変形例によれば、このファクタは、さらに変調値Ｂａによって決まる。
【０１３６】
方程式（Ｊ）は、輝度成分Ｌ”およびクロミナンス成分Ｃ”１，Ｃ”２から得られる色に適用される逆マッピングであると考えられる。方程式（Ｊ）は、色マッピングであると考えられる方程式（Ａ）から直接得られる。
【０１３７】
モジュールＩＬＣＣの変形例によれば、以下のように、最終輝度成分Ｌの値は、常に輝度成分Ｌ”の値より大きい。
Ｌ＝Ｌ”＋ｍａｘ（０，ｍＣ”１＋ｎＣ”２）
【０１３８】
この実施形態は、最終輝度成分Ｌがデコーダが輝度ピークを規定するために通常使用する潜在的クリッピング値を超えないことを保証するので、有利である。デコーダが輝度ピークを必要とするとき、および方程式（Ｊ）によって最終輝度成分Ｌが与えられるときには、最終輝度成分Ｌがクリッピングされて、ある程度のアーチファクトが生じる。
【０１３９】
実施形態によれば、変調値Ｂａならびに／または係数ｍおよびｎは、ルックアップ・テーブルなどの遠隔またはローカルなメモリから、あるいは図９に示すようにビットストリームＢＦから得られる。
【０１４０】
実施形態によれば、ファクタβ−１（Ｌ（ｉ））は、最終輝度成分Ｌの特定の値Ｌ（ｉ）についての、また任意選択でさらに特定の変調値Ｂａについてのルックアップ・テーブル（ＬＵＴ）から得られる。従って、例えば１０００ｎｉｔ、１５００ｎｉｔ、および４０００ｎｉｔなどの複数の輝度ピーク値について、特定のファクタβ−１（Ｌ（ｉ））が、各特定の変調値ＢａについてのＬＵＴに記憶される。
【０１４１】
変形例によれば、ＬＵＴが記憶される複数の輝度ピークの間の輝度ピークを補間することによって、最終輝度成分Ｌの画素の値について、特定の変調値Ｂａについてのファクタβ−１（Ｌ（ｉ））を得る。
【０１４２】
図１０に示すステップ２３の実施形態によれば、ステップ２２０で、モジュールＩＦＭは、以下のように、第１の成分Ｙのダイナミックが最終輝度成分Ｌのダイナミックと比較して大きくなるように最終輝度成分Ｌに非線形関数ｆ−１を適用することによって、第１の成分Ｙを得る。
Ｙ＝ｆ−１（Ｂａ，Ｌ）  （Ａ３）
【０１４３】
この非線形関数ｆ−１は、非線形関数ｆ（ステップ１３０）の逆関数である。
【０１４４】
従って、関数ｆ−１の実施形態は、関数ｆの実施形態に従って規定される。
【０１４５】
実施形態によれば、非線形関数ｆ−１のパラメータ（ａ、ｂ、ｃ、もしくはγなど）および／または情報データｉｎｆは、ローカルまたは遠隔のメモリ（例えばルックアップ・テーブル）から、且つ／あるいは図１０に示すようにビットストリームＢＦから得られる。
【０１４６】
実施形態によれば、以下のように、輝度成分Ｌに、非線形関数ｆ−１を適用した後で変調値Ｂａを乗算する。
Ｙ＝Ｂａ＊ｆ−１（Ｌ）  （Ａ４）
【０１４７】
実施形態によれば、非線形関数ｆ−１は、ガンマ関数の逆関数である。
【０１４８】
この場合、成分Ｙは、以下で与えられる。
【数３６】
2018507619.tif 000048
ここで、Ｙ１は、方程式（Ａ３）または（Ａ４）の実施形態に応じてＹまたはＹ／Ｂａと等しく、Ｂは定数値であり、γは、パラメータ（厳密に１未満の実数値）である。
【０１４９】
実施形態によれば、非線形関数ｆ−１は、Ｓ−Ｌｏｇ関数の逆関数である。この場合、成分Ｙ１は、以下で与えられる。
【数３７】
2018507619.tif 000049
【０１５０】
実施形態によれば、非線形関数ｆは、成分Ｙの画素値に応じて、ガンマ補正またはＳＬｏｇ補正の何れかの逆関数である。これは、情報データｉｎｆによって示される。
【０１５１】
ステップ２３０で、モジュールＩＬＣは、第１の成分Ｙ、２つの最終クロミナンス成分Ｃ１，Ｃ２、および最終輝度成分Ｌによって決まるファクタｒ（Ｌ）から、少なくとも１つの色成分Ｅｃを得る。次いで、上記の少なくとも１つの色成分Ｅｃを結合することによって、復号されたカラー・ピクチャが得られる。
【０１５２】
一般的なＯＥＴＦを各中間色成分Ｅ’ｃに適用する（図６のステップ１７１）と、以下のように、中間成分Ｄｃは、成分Ｙ、２つの最終クロミナンス成分Ｃ１，Ｃ２、およびファクタｒ（Ｌ）に関係する。
【数３８】
2018507619.tif 000050
且つ
【数３９】
2018507619.tif 000051
ここで、ＥＯＴＦ（電気光学伝達関数）は、ステップ１７１で適用するＯＥＴＦの逆関数である。
【０１５３】
方程式（Ａ５ｂ）より、以下が得られる。
【数４０】
2018507619.tif 000052
ここで、ＯＥＴＦ（Ｅｃ）＝Ｄｃであり、
2018507619.tif 000053
は、行列Ａに依存する定数であり、Ｌｉは、やはり行列Ａに依存する線形関数である。この場合、方程式Ａ５ａは、
ｒ（Ｌ）＊Ｙ＝Ａ１１ＥＯＴＦ（Ｄ１）＋Ａ１２ＥＯＴＦ（Ｄ２）＋Ａ１３ＥＯＴＦ（Ｄ３）  （Ａ７）
となり、さらに、
【数４１】
2018507619.tif 000054
となる。
【０１５４】
方程式（Ａ８）は、Ｄ１のみについての陰方程式である。ＥＯＴＦの表現によるが、方程式（Ａ８）は、ある程度簡単に解くことができる。解けばＤ１が得られ、方程式（Ａ６）によりＤ１からＤ２、Ｄ３が推定される。次いで、この３つの得られた中間成分ＤｃにＥＯＴＦを適用することにより、中間色成分Ｅ’ｃを得る。すなわち、Ｅ’ｃ＝ＥＯＴＦ（Ｄｃ）である。
【０１５５】
この一般的な場合には、すなわち一般的なＯＥＴＦ（いかなる特定の性質も有していない）を各中間色成分（Ｅ’ｃ）に適用するときには、方程式（８）の解析的解は存在しない。例えば、ＯＥＴＦがＩＴＵ−Ｒ  ＢＴ．７０９／２０２０のＯＥＴＦであるときには、方程式（Ａ８）は、いわゆるニュートン法またはその他の任意の数値法を使用して正則関数の根を求めることによって、数値的に解くことができる。ただし、これにより非常に複雑なデコーダとなる。
【０１５６】
この一般的な場合には、図１１ａに示すステップ２３０の第１の実施形態によれば、ステップ２３１で、モジュールＩＬＥＣは、上記で説明したように、第１の成分Ｙ、２つの最終クロミナンス成分Ｃ１，Ｃ２、およびファクタｒ（Ｌ）から３つの中間色成分Ｅ’ｃを得る。ステップ２３２で、以下のように各中間色成分Ｅ’ｃをファクタｒ（Ｌ）でスケーリングすることによって、３つの色成分Ｅｃを得る。
Ｅｃ（ｉ）＝Ｅ’ｃ（ｉ）／ｒ（Ｌ（ｉ））
ここで、ｒ（Ｌ（ｉ））は、最終輝度成分Ｌの画素ｉの値に依存するステップ１６０で与えられるファクタであり、Ｅ’ｃ（ｉ）は、中間色成分Ｅ’ｃの画素ｉの値であり、Ｅｃ（ｉ）は、色成分Ｅｃの画素ｉの値である。
【０１５７】
実際には、ステップ２３２の前にステップ２３１を行うこの順序は、符号化方法のステップ１５０の後にステップ１７０を行う順序を逆にしたものである。
【０１５８】
この第１の実施形態の変形例によれば、ＯＥＴＦは平方根関数であり、ＥＯＴＦは２次関数である。
【０１５９】
この第１の実施形態の別の変形例によれば、ＯＥＴＦは立方根関数であり、ＥＯＴＦは、３次関数である。
【０１６０】
ステップ１７１で使用するＯＥＴＦが交換条件を満たす、すなわち
ＯＥＴＦ（ｘ＊ｙ）＝ＯＥＴＦ（ｘ）＊ＯＥＴＦ（ｙ）
であるときには、成分Ｙおよび色成分Ｅｃは、以下のような関係になる。
【数４２】
2018507619.tif 000055
ここで、Ｆｃは、ＯＥＴＦ（Ｅｃ）に等しい成分であり、
【数４３】
2018507619.tif 000056
であり、交換条件が、
【数４４】
2018507619.tif 000057
を与えるようになっている。
【０１６１】
方程式（１０）は、
【数４５】
2018507619.tif 000058
を与え、ここで、
2018507619.tif 000059
は、行列Ａに依存する定数であり、Ｌｉは、やはり行列Ａに依存する線形関数である。
【０１６２】
この場合、方程式（Ａ９）は、
Ｙ＝Ａ１１ＥＯＴＦ（Ｆ１）＋Ａ１２ＥＯＴＦ（Ｆ２）＋Ａ１３ＥＯＴＦ（Ｆ３）  （Ａ１１）
となり、さらに、
【数４６】
2018507619.tif 000060
となる。
【０１６３】
ＯＥＴＦが交換条件を満たすときには、図１１ｂに示すステップ２３０の第２の実施形態によれば、ステップ２３２で、以下のように２つの最終クロミナンス成分Ｃ１およびＣ２をファクタＯＥＴＦ（ｒ（Ｌ（ｉ）））でスケーリングすることによって、２つの中間成分Ｃ’１およびＣ’２を得る。ここで、ＯＥＴＦは、図６のステップ１７１で使用した関数である。
【数４７】
2018507619.tif 000061
ここで、ｒ（Ｌ（ｉ））は、最終輝度成分Ｌの画素ｉの値に依存するステップ１６０で与えられるファクタであり、Ｃ’１（ｉ），Ｃ’２（ｉ）は、それぞれ成分Ｃ’１およびＣ’２の画素ｉの値であり、Ｃ１（ｉ），Ｃ２（ｉ）は、それぞれ２つの最終クロミナンス成分Ｃ１およびＣ２の画素ｉの値である。
【０１６４】
ステップ２３１で、モジュールＩＬＥＣは、上記で説明したように、第１の成分Ｙおよび２つの中間クロミナンス成分Ｃ’１，Ｃ’２から３つの色成分Ｅｃを得る。
【０１６５】
この第２の実施形態の変形例によれば、ＯＥＴＦは平方根関数であり、ＥＯＴＦは２次関数である。次いで、図１１ｂのステップ２３２で、以下のように２つの最終クロミナンス成分Ｃ１およびＣ２をファクタ
【数４８】
2018507619.tif 000062
でスケーリングすることによって、２つの中間成分Ｃ’１およびＣ’２を得る。
【数４９】
2018507619.tif 000063
【０１６６】
方程式（９）は、
【数５０】
2018507619.tif 000064
および
【数５１】
2018507619.tif 000065
となり、交換により、
【数５２】
2018507619.tif 000066
が得られるようになっている。
【０１６７】
方程式（１１）は、
【数５３】
2018507619.tif 000067
および
【数５４】
2018507619.tif 000068
となる。
【０１６８】
方程式（Ａ１４）は、解析的に解くことができる２次方程式である。この解析的解から、図１２に示すようにステップ２３１の特定の実施形態が得られる。この実施形態は、ＥＯＴＦ（ＯＥＴＦの逆関数）の解析的表現を可能にし、それによりピクチャの復号された成分の解析的表現を可能にするので、有利である。さらに、この場合には、ＥＯＴＦは、復号側における複雑さの低いプロセスである２次関数である。ステップ２３１０で、モジュールＳＭは、以下のように２つの中間クロミナンス成分Ｃ’１，Ｃ’２と第１の成分Ｙとを結合することによって、第２の成分Ｓを得る。
【数５５】
2018507619.tif 000069
ここで、ｋ０、ｋ１、およびｋ２は、パラメータ値であり、Ｃ’ｃ２は、成分Ｃ’ｃ（ｃ＝１または２）の二乗を意味する。
【０１６９】
ステップ２３１１で、モジュールＬＣ２は、以下のように、中間クロミナンス成分Ｃ’１、Ｃ’２と第２の成分Ｓとを線形結合することによって、３つのソルバ（ｓｏｌｖｅｒ）成分Ｆｃを得る。
【数５６】
2018507619.tif 000070
ここで、Ｃは、行列Ａの逆行列として定義される３×３行列である。
【０１７０】
ステップ２３１２で、以下のように、各中間色成分（Ｄｃ）の二乗をとることによって、３つの色成分Ｅｃを得る。
【数５７】
2018507619.tif 000071
【０１７１】
行列Ａは、符号化対象のピクチャの画素値が表現されている色空間（Ｅ１，Ｅ２，Ｅ３）から色空間（Ｙ，Ｃ１，Ｃ２）への符号化対象のピクチャＩの変換を決定する。
【０１７２】
このような行列は、符号化対象のカラー・ピクチャの色域に依存する。
【０１７３】
例えば、符号化対象のピクチャがＩＴＵ−Ｒ勧告７０９に規定されるＢＴ７０９色域に表されるときには、行列Ａは、
【数５８】
2018507619.tif 000072
で与えられ、行列Ｃは、
【数５９】
2018507619.tif 000073
で与えられる。
【０１７４】
この第２の実施形態の変形例によれば、ＯＥＴＦは立方根関数であり、ＥＯＴＦは３次関数である。この場合、図１１ｂのステップ２３２で、以下のように、２つの最終クロミナンス成分Ｃ１およびＣ２をファクタ
【数６０】
2018507619.tif 000074
でスケーリングすることによって、２つの中間成分Ｃ’１およびＣ’２を得ることができる。
【数６１】
2018507619.tif 000075
【０１７５】
この場合、ＥＯＴＦは、３次関数であり、従って、Ｆ１についての方程式（１４）は、いわゆるカルダノ法で解析的に解くことができるより複雑な３次方程式となる。
【０１７６】
４次方程式についても非常に複雑な解析的解が存在する（フェラーリの方法）が、アーベル・ルフィニの定理によって述べられるように５次以上については解は存在しない。
【０１７７】
デコーダＤＥＣは、符号化器ＥＮＣによって符号化されているデータを復号するように構成される。
【０１７８】
符号化器ＥＮＣ（およびデコーダＤＥＣ）は、特定の符号化器（デコーダ）に限定されず、エントロピ符号化器（デコーダ）が必要であるときには、ハフマン・コーダ、算術コーダ、あるいはＨ．２６４／ＡＶＣまたはＨＥＶＣで使用されるＣａｂａｃなどのコンテキスト適合型コーダなどのエントロピ符号化器が有利である。
【０１７９】
符号化器ＥＮＣ（およびデコーダＤＥＣ）は、例えばＪＰＥＧ、ＪＰＥＧ２０００、ＭＰＥＧ２、Ｈ．２６４／ＡＶＣ、またはＨＥＶＣなど損失のあるフレーム／ビデオ・レガシー・コーダであることがある特定の符号化器に限定されない。
【０１８０】
図１から図１２では、モジュールは、区別することができる物理的ユニットに関係することも関係しないこともある機能ユニットである。例えば、これらのモジュールまたはそのうちのいくつかを、１つの構成要素または回路にまとめることもできるし、あるいはこれらのモジュールまたはそのうちのいくつかが、ソフトウェアの機能の一助となることもできる。一方、いくつかのモジュールは、潜在的に別個の物理的エンティティで構成されることもある。本開示に適合した装置は、例えばＡＳＩＣ（特定用途向け集積回路）またはＦＰＧＡ（フィールド・プログラマブル・ゲート・アレイ）またはＶＬＳＩ（超大規模集積回路）などの専用ハードウェアを使用するなど、ハードウェアのみを使用して、あるいはデバイスに埋め込まれたいくつかの集積電子構成要素から、あるいはハードウェア構成要素とソフトウェア構成要素の混成から、実装される。
【０１８１】
図１３は、図１から図１２に関連して説明した方法を実施するように構成することができるデバイス１３００の例示的なアーキテクチャを示す図である。
【０１８２】
デバイス１３００は、データおよびアドレス・バス１３０１によってリンクされた以下の要素を含む。
・例えばＤＳＰ（すなわちディジタル信号プロセッサ）であるマイクロプロセッサ１３０２（またはＣＰＵ）
・ＲＯＭ（すなわち読取り専用メモリ）１３０３
・ＲＡＭ（すなわちランダム・アクセス・メモリ）１３０４
・アプリケーションとの間のデータの伝送および／または受信のためのＩ／Ｏインタフェース１３０５
・バッテリ１３０６
【０１８３】
変形例によれば、バッテリ１３０６は、デバイスの外付けである。図１３のこれらの要素はそれぞれ、当業者には周知であり、これ以上は開示しない。上記のメモリのそれぞれにおいて、本明細書で使用する「レジスタ」という言葉は、小容量（数ビット）の領域に対応することも、非常に大きな領域（例えばプログラム全体、または大量の受信もしくは復号したデータ）に対応することもある。ＲＯＭ１３０３は、少なくともプログラムおよびパラメータを含む。本開示による方法のアルゴリズムは、ＲＯＭ１３０３に記憶される。ＣＰＵ１３０２は、オンになると、プログラムをＲＡＭにアップロードし、対応する命令を実行する。
【０１８４】
ＲＡＭ３０４は、ＣＰＵ１３０２によって実行される、デバイス１３００のスイッチ・オン後にアップロードされるプログラムと、入力データと、この方法の様々な状態の中間データと、この方法の実行に使用されるその他の変数とをレジスタに含む。
【０１８５】
本明細書に記載する実施態様は、例えば、方法またはプロセス、装置、ソフトウェア・プログラム、データ・ストリーム、あるいは信号で実施することができる。単一の実施態様の形態の文脈でしか説明していない場合でも（例えば方法またはデバイスとしてしか説明していない場合でも）、その説明した特徴の実施態様を、その他の形態（例えばプログラム）で実施することもできる。装置は、例えば、適当なハードウェア、ソフトウェア、およびファームウェアで実装することができる。これらの方法は、例えばコンピュータ、マイクロプロセッサ、集積回路、プログラマブル論理デバイスなど、処理デバイス一般を指すものとしてのプロセッサなどの装置で実施することができる。プロセッサは、例えばコンピュータ、携帯電話、携帯情報端末（ＰＤＡ）、およびエンドユーザ間での情報の通信を容易にするその他のデバイスなどの通信デバイスも含む。
【０１８６】
符号化または符号化器の特定の実施形態によれば、カラー・ピクチャＩは、ソースから得られる。例えば、ソースは、
・例えばビデオ・メモリまたはＲＡＭ（すなわちランダム・アクセス・メモリ）、フラッシュ・メモリ、ＲＯＭ（すなわち読取り専用メモリ）、ハード・ディスクなどのローカル・メモリ（１３０３または１３０４）と、
・例えば大容量記憶装置、ＲＡＭ、フラッシュ・メモリ、ＲＯＭ、光ディスク、または磁気サポート（ｍａｇｎｅｔｉｃ  ｓｕｐｐｏｒｔ）などの記憶インタフェースと、
・例えばワイヤライン・インタフェース（例えばバス・インタフェース、広域ネットワーク・インタフェース、ローカル・エリア・ネットワーク・インタフェース）またはワイヤレス・インタフェース（ＩＥＥＥ８０２．１１インタフェースもしくはＢｌｕｅｔｏｏｔｈ（登録商標）インタフェースなど）などの通信インタフェース（１３０５）と、
・ピクチャ取り込み回路（例えばＣＣＤ（すなわち電荷結合素子）またはＣＭＯＳ（すなわち相補型金属酸化物半導体）などのセンサ）と
を含むセットに属する。
【０１８７】
復号またはデコーダの様々な実施形態によれば、復号されたピクチャは送信先に送信される。詳細には、この送信先は、
・例えばビデオ・メモリまたはＲＡＭ（すなわちランダム・アクセス・メモリ）、フラッシュ・メモリ、ＲＯＭ（すなわち読取り専用メモリ）、ハード・ディスクなどのローカル・メモリ（１３０３または１３０４）と、
・例えば大容量記憶装置、ＲＡＭ、フラッシュ・メモリ、ＲＯＭ、光ディスク、または磁気サポートなどの記憶インタフェースと、
・例えばワイヤライン・インタフェース（例えばバス・インタフェース、広域ネットワーク・インタフェース、ローカル・エリア・ネットワーク・インタフェース）またはワイヤレス・インタフェース（ＩＥＥＥ８０２．１１インタフェースもしくはＢｌｕｅｔｏｏｔｈ（登録商標）インタフェースなど）などの通信インタフェース（１３０５）と、
・ディスプレイと
を含むセットに属する。
【０１８８】
符号化または符号化器の様々な実施形態によれば、ビットストリームＢＦおよび／またはＦは、宛先に送信される。一例としては、ビットストリームＦおよびＢＦの一方または両方が、例えばビデオ・メモリ（１３０４）またはＲＡＭ（１３０４）、ハード・ディスク（１３０３）などのローカルまたは遠隔のメモリに記憶される。変形例では、一方または両方のビットストリームが、例えば大容量記憶装置を備えたインタフェース、フラッシュ・メモリ、ＲＯＭ、光ディスク、または磁気サポートなどの記憶インタフェースに送信され、且つ／あるいは、例えばポイント・ツー・ポイント・リンク、通信バス、ポイント・ツー・マルチポイント・リンク、または同報通信ネットワークとのインタフェースなどの通信インタフェース（１３０５）を介して伝送される。
【０１８９】
復号またはデコーダの様々な実施形態によれば、ビットストリームＢＦおよび／またはＦは、ソースから得られる。例示的には、ビットストリームは、例えばビデオ・メモリ（１３０４）、ＲＡＭ（１３０４）、ＲＯＭ（１３０３）、フラッシュ・メモリ（１３０３）、またはハード・ディスク（１３０３）などのローカルなメモリから読み取られる。変形例では、ビットストリームは、例えば大容量記憶装置を備えたインタフェース、ＲＡＭ、ＲＯＭ、フラッシュ・メモリ、光ディスク、または磁気サポートなどの記憶インタフェースから受信され、且つ／あるいは、例えばポイント・ツー・ポイント・リンク、通信バス、ポイント・ツー・マルチポイント・リンク、または同報通信ネットワークとのインタフェースなどの通信インタフェース（１３０５）から受信される。
【０１９０】
様々な実施形態によれば、図２から図７に関連して説明した符号化方法を実施するように構成されたデバイス１３００は、
・モバイル・デバイス、
・通信デバイス、
・ゲーム・デバイス、
・タブレット（すなわちタブレット・コンピュータ）、
・ラップトップ、
・静止画カメラ、
・ビデオ・カメラ、
・符号化チップ、
・静止画サーバ、および
ビデオ・サーバ（例えば放送サーバ、ビデオ・オン・デマンド・サーバ、またはウェブ・サーバ）
を含むセットに属する。
【０１９１】
様々な実施形態によれば、図８から図１２に関連して説明した復号方法を実施するように構成されたデバイス１３００は、
・モバイル・デバイス、
・通信デバイス、
・ゲーム・デバイス、
・セット・トップ・ボックス、
・ＴＶセット、
・タブレット（すなわちタブレット・コンピュータ）、
・ラップトップ、
・ディスプレイ、および
・復号チップ
を含むセットに属する。
【０１９２】
図１４に示す実施形態によれば、通信ネットワークＮＥＴを介した２つの遠隔デバイスＡとＢの間の伝送の状況では、デバイスＡは、図２から図７に関連して説明したようにピクチャを符号化する方法を実施するように構成された手段を含み、デバイスＢは、図８から図１２に関連して説明したように復号する方法を実施するように構成された手段を含む。
【０１９３】
本開示の変形例によれば、ネットワークは、デバイスＡからデバイスＢを含む復号デバイスに静止画またはビデオ・ピクチャを同報通信するように適応された放送ネットワークである。
【０１９４】
本明細書に記載する様々なプロセスおよび特徴の実施態様は、様々な異なる機器またはアプリケーションで実施することができる。このような機器の例は、符号化器、デコーダ、デコーダからの出力を処理するポスト・プロセッサ、符号化器に入力を提供するプリプロセッサ、ビデオ・コーダ、ビデオ・デコーダ、ビデオ・コーデック、ウェブ・サーバ、セット・トップ・ボックス、ラップトップ、パーソナル・コンピュータ、携帯電話、ＰＤＡ、およびピクチャまたはビデオを処理するその他の任意のデバイスあるいはその他の通信デバイスを含む。この機器は、モバイルであってもよく、また移動車両に設置することもできることは明らかであろう。
【０１９５】
さらに、これらの方法は、プロセッサが命令を実行することによって実施することもでき、このような命令（および／または実施によって生成されるデータ値）は、コンピュータ可読記憶媒体に記憶することができる。コンピュータ可読記憶媒体は、１つまたは複数のコンピュータ可読媒体に実装される、コンピュータによって実行可能なコンピュータ可読プログラム・コードが実装されているコンピュータ可読プログラム製品の形態をとることができる。本明細書で使用されるコンピュータ可読記憶媒体は、情報を記憶するための固有の容量と、そこからの情報の取出しを実現する固有の容量とが与えられた非一時的記憶媒体と考えられる。コンピュータ可読記憶媒体は、これらに限定されるわけではないが、例えば、電子的、磁気的、光学的、電磁気的、赤外線、または半導体システム、装置、またはデバイス、あるいはそれらの任意の適当な組合せとすることができる。以下に、本原理を適用することができるコンピュータ可読記憶媒体のさらに具体的な例を与えるが、単なる例示的なリストであって排他的なリストではないことは、当業者なら理解されたい。さらに具体的な例としては、携帯型コンピュータ・ディスケット、ハード・ディスク、読取り専用メモリ（ＲＯＭ）、消去可能プログラマブル読取り専用メモリ（ＥＰＲＯＭまたはフラッシュ・メモリ）、携帯型コンパクト・ディスク読取り専用メモリ（ＣＤ−ＲＯＭ）、光学記憶デバイス、磁気記憶デバイス、またはそれらの任意の適当な組合せがある。
【０１９６】
命令は、プロセッサ可読媒体に有形に実装されるアプリケーション・プログラムを構成することができる。
【０１９７】
命令は、例えば、ハードウェア、ファームウェア、ソフトウェア、またはそれらの組合せとすることができる。命令は、例えば、オペレーティング・システム、別個のアプリケーション、またはその両者の組合せに見ることができる。従って、プロセッサは、例えば、プロセスを実行するように構成されたデバイス、およびプロセスを実行するための命令を有するプロセッサ可読媒体（記憶デバイスなど）を含むデバイスの両方の特徴を有することができる。さらに、プロセッサ可読媒体は、命令に加えて、または命令の代わりに、実施によって生成されるデータ値を記憶することもできる。
【０１９８】
実施態様により、例えば記憶または伝送することができる情報を搬送するようにフォーマット化された様々な信号が生成される可能性があることは、当業者には明らかであろう。この情報は、例えば、方法を実行するための命令、または記載した実施態様のうちの１つによって生成されたデータを含む可能性がある。例えば、信号を、記載した実施形態の構文を書き込む、または読み取る規則をデータとして搬送する、あるいは記載した実施形態によって書き込まれた実際の構文値をデータとして搬送するようにフォーマット化することができる。このような信号は、例えば、電磁波（例えば無線周波スペクトル部分を使用する）またはベースバンド信号としてフォーマット化することができる。フォーマット化は、例えば、データ・ストリームを符号化すること、および搬送波を符号化データ・ストリームで変調することを含む可能性がある。信号が搬送する情報は、例えば、アナログ情報であっても、ディジタル情報であってもよい。信号は、既知のように、様々な異なる有線リンクまたはワイヤレス・リンクを介して伝送することができる。信号は、プロセッサ可読媒体に記憶することができる。
【０１９９】
いくつかの実施態様について説明した。しかしながら、様々な修正を施すことが可能であることは理解されるであろう。例えば、様々な実施態様の要素を組み合わせたり、補足したり、修正したり、または除去したりして、他の実施態様を生み出すこともできる。さらに、当業者なら、開示した構造およびプロセスの代わりに他の構造およびプロセスを使用することができ、その結果得られる実施態様も、開示した実施態様と少なくとも実質的には同じである１つまたは複数の機能を、少なくとも実質的には同じである１つまたは複数の方法で実行して、少なくとも実質的には同じである１つまたは複数の結果を実現することになることを理解するであろう。従って、上記の実施態様およびその他の実施態様は、本願によって企図されている。
【図１】
2018507619.tif 000076
【図２】
2018507619.tif 000077
【図３】
2018507619.tif 000078
【図４】
2018507619.tif 000079
【図５】
2018507619.tif 000080
【図６】
2018507619.tif 000081
【図７】
2018507619.tif 000082
【図８】
2018507619.tif 000083
【図９】
2018507619.tif 000084
【図１０】
2018507619.tif 000085
【図１１ａ】
2018507619.tif 000086
【図１１ｂ】
2018507619.tif 000087
【図１２】
2018507619.tif 000088
【図１３】
2018507619.tif 000089
【図１４】
2018507619.tif 000090
【図１５】
2018507619.tif 000091
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
符号化されるカラー・ピクチャから輝度成分（Ｌ）および２つのクロミナンス成分（Ｃ１，Ｃ２）を取得すること（１１）と、最終輝度成分（Ｌ”）および２つの最終クロミナンス成分（Ｃ１”，Ｃ２”）を取得すること（１２）と、前記最終輝度成分（Ｌ”）および少なくとも１つの最終クロミナンス成分を符号化すること（１３）と、を含む、色成分を有するカラー・ピクチャを符号化する方法において、
前記輝度成分（Ｌ）の各画素（ｉ）の値に基づいて第１のファクタ（β−１（Ｌ（ｉ）））を決定することと、
前記２つのクロミナンス成分（Ｃ１，Ｃ２）を前記第１のファクタでスケーリングすることによって前記２つの最終クロミナンス成分（Ｃ１”，Ｃ２”）を取得することと、
前記輝度成分（Ｌ）と前記２つの最終クロミナンス成分（Ｃ１”，Ｃ２”）とを
Ｌ”＝Ｌ−ｍＣ”１−ｎＣ”２
に従って線形結合することによって前記最終輝度成分（Ｌ”）を取得すること（１２２）であって、Ｌは前記輝度成分であり、Ｌ”は前記最終輝度成分であり、Ｃ”１およびＣ”２は前記２つの最終クロミナンス成分であり、ｍおよびｎはヌルでない係数である、該取得することと、
をさらに含むことを特徴とする、前記方法。
【請求項２】
前記係数ｍおよびｎをローカルまたは遠隔のメモリに記憶すること、および／または、前記係数ｍおよびｎをビットストリームに追加することをさらに含む、請求項１に記載の方法。
【請求項３】
前記第１のファクタは、前記輝度成分（Ｌ）の画素（ｉ）の特定の値についてルップアップ・テーブルから得られる、請求項１または２に記載の方法。
【請求項４】
前記輝度成分（Ｌ）の画素（ｉ）の特定の値についての前記第１のファクタは、前記ルップアップ・テーブルの値を補間することによって得られる、請求項３に記載の方法。
【請求項５】
前記第１のファクタはさらに、前記係数ｍおよびｎに依存する、請求項１から４のいずれか１項に記載の方法。
【請求項６】
前記第１のファクタは、前記最終輝度成分（Ｌ”）および前記最終クロミナンス成分（Ｃ”１，Ｃ”２）から得られる色の色域と符号化される前記カラー・ピクチャの色の色域との間で計算される色域歪みが最小限に抑えられるように取得される、請求項５に記載の方法。
【請求項７】
符号化される前記カラー・ピクチャから輝度成分（Ｌ）および２つのクロミナンス成分（Ｃ１，Ｃ２）を取得すること（１１）は、
輝度成分（Ｌ）を取得すること（１３０）であって、
前記カラー・ピクチャの輝度（Ｙ）から変調値（Ｂａ）を取得すること（１２０）と、
前記カラー・ピクチャの前記輝度（Ｙ）を前記変調値（Ｂａ）で除算することによって、スケーリングされた輝度を取得することと、
前記輝度成分（Ｌ）のダイナミックが前記スケーリングされた輝度のダイナミックと比較して小さくなるように、前記スケーリングされた輝度に非線形関数を適用することによって前記輝度成分（Ｌ）を取得することと、
を含む、前記輝度成分（Ｌ）を取得することと、
２つのクロミナンス成分（Ｃ１，Ｃ２）を取得することであって、
前記輝度成分（Ｌ（ｉ））の画素（ｉ）の値と前記カラー・ピクチャ内の共通の位置にある画素（ｉ）の輝度値（Ｙ（ｉ））とによって決まる第２のファクタ（ｒ（Ｌ（ｉ）））を取得することと、
各色成分（Ｅｃ）に第２のファクタ（ｒ（Ｌ））を乗算することによって少なくとも１つの中間色成分（Ｅ’ｃ）を取得すること（１５０）と、
前記少なくとも１つの中間色成分（Ｅ’ｃ）から前記少なくとも２つのクロミナンス成分（Ｃ１，Ｃ２）を取得すること（１７０）と、
を含む、前記２つのクロミナンス成分（Ｃ１，Ｃ２）を取得することと、
を含む、請求項１から６のいずれか１項に記載の方法。
【請求項８】
ビットストリームから輝度成分（Ｌ”）および２つのクロミナンス成分（Ｃ１”，Ｃ２”）を取得すること（２１）と、
前記２つのクロミナンス成分（Ｃ１”，Ｃ２”）から２つの最終クロミナンス成分（Ｃ１，Ｃ２）を取得すること（２２）と、
最終輝度成分（Ｌ）および前記２つの最終クロミナンス成分から、復号されるカラー・ピクチャを取得すること（２３）と、を含む、ビットストリームからカラー・ピクチャを復号する方法において、
前記２つの最終クロミナンス成分を取得すること（２２）が、
前記最終輝度成分（Ｌ）の各画素（ｉ）の値から第１のファクタ（β−１（Ｌ（ｉ）））を取得することと、
前記２つのクロミナンス成分（Ｃ１”，Ｃ２”）に前記第１のファクタを乗算すること（２２１）によって、前記２つの最終クロミナンス成分（Ｃ１，Ｃ２）を取得すること（２２２）と、
前記輝度成分（Ｌ”）と前記２つのクロミナンス成分とを
Ｌ＝Ｌ”＋ｍＣ”１＋ｎＣ”２
に従って線形結合することによって前記最終輝度成分（Ｌ）を取得すること（２２２）であって、Ｌは前記最終輝度成分であり、Ｌ”は前記輝度成分であり、Ｃ”１およびＣ”２は前記２つのクロミナンス成分であり、ｍおよびｎはヌルでない係数である、該取得することと、
を含むことを特徴とする、前記方法。
【請求項９】
前記最終輝度成分（Ｌ）および前記２つの最終クロミナンス成分（Ｃ１，Ｃ２）から、復号される前記カラー・ピクチャを取得すること（２３）は、
第１の成分（Ｙ）を取得すること（２２０）であって、
結果的に生じる成分のダイナミックが前記最終輝度成分（Ｌ）のダイナミックと比較して大きくなるように、前記最終輝度成分（Ｌ）に非線形関数を適用することによって前記結果的に生じる成分を取得することと、
復号される前記カラー・ピクチャの輝度から変調値（Ｂａ）を取得することと、
前記結果的に生じる成分に前記変調値を乗算することによって前記第１の成分（Ｙ）を取得することと、
を含む、前記第１の成分（Ｙ）を取得することと、
前記最終輝度成分（Ｌ）の画素（ｉ）の値（Ｌ（ｉ））によって決まる第２のファクタ（ｒ（Ｌ（ｉ）））を取得することと、
前記第１の成分（Ｙ）、前記２つの最終クロミナンス成分（Ｃ１，Ｃ２）、および前記第２のファクタ（ｒ（Ｌ（ｉ）））から少なくとも１つの色成分（Ｅｃ）を取得すること（２３０）と、
前記少なくとも１つの色成分（Ｅｃ）を結合することによって、復号されたピクチャを形成することと、
を含む、請求項８に記載の方法。
【請求項１０】
符号化されるカラー・ピクチャから輝度成分（Ｌ）および２つのクロミナンス成分（Ｃ１，Ｃ２）を取得し、最終輝度成分（Ｌ”）および２つの最終クロミナンス成分（Ｃ１”，Ｃ２”）を取得し、かつ前記最終輝度成分（Ｌ”）および少なくとも１つの最終クロミナンス成分を符号化するように構成されたプロセッサを含む、色成分を有するカラー・ピクチャを符号化するデバイスにおいて、前記プロセッサがさらに、
前記輝度成分（Ｌ）の各画素（ｉ）の値に基づいて第１のファクタ（β−１（Ｌ（ｉ）））を決定し、
前記２つのクロミナンス成分を前記第１のファクタでスケーリングすることによって前記２つの最終クロミナンス成分（Ｃ１”，Ｃ２”）を取得し、
前記輝度成分（Ｌ）と前記２つの最終クロミナンス成分（Ｃ１”，Ｃ２”）とを
Ｌ”＝Ｌ−ｍＣ”１−ｎＣ”２
に従って線形結合することによって前記最終輝度成分（Ｌ”）を取得するように構成されており、Ｌは前記輝度成分であり、Ｌ”は前記最終輝度成分であり、Ｃ”１およびＣ”２は前記２つの最終クロミナンス成分であり、ｍおよびｎはヌルでない係数である、
ことを特徴とする、前記デバイス。
【請求項１１】
ビットストリームから輝度成分（Ｌ”）および２つのクロミナンス成分（Ｃ１”，Ｃ２”）を取得し、
前記２つのクロミナンス成分から２つの最終クロミナンス成分（Ｃ１，Ｃ２）を取得し、
前記２つの最終クロミナンス成分（Ｃ１，Ｃ２）から、復号されるカラー・ピクチャを取得するように構成されたプロセッサを含む、ビットストリームからカラー・ピクチャを復号するデバイスにおいて、前記プロセッサが、
前記最終輝度成分（Ｌ）の各画素（ｉ）の値から第１のファクタ（β−１（Ｌ（ｉ））を取得することと、
前記２つのクロミナンス成分（Ｃ１”，Ｃ２”）に前記第１のファクタを乗算することによって、前記２つの最終クロミナンス成分（Ｃ１，Ｃ２）を取得することと、
前記輝度成分（Ｌ”）と前記２つのクロミナンス成分（Ｃ１”，Ｃ２”）とを
Ｌ＝Ｌ”＋ｍＣ”１＋ｎＣ”２
に従って線形結合することによって前記最終輝度成分（Ｌ）を取得することであって、Ｌは前記最終輝度成分であり、Ｌ”は前記輝度成分であり、Ｃ”１およびＣ”２は前記２つのクロミナンス成分であり、ｍおよびｎはヌルでない係数である、該取得することと、
によって、前記２つの最終クロミナンス成分を取得するようにさらに構成されていることを特徴とする、前記デバイス。
【請求項１２】
プログラムがコンピュータ上で実行されたときに請求項１に記載の符号化方法のステップを実行するプログラム・コード命令を含む、コンピュータ・プログラム製品。
【請求項１３】
プログラムがコンピュータ上で実行されたときに請求項８に記載の復号方法のステップを実行するプログラム・コード命令を含む、コンピュータ・プログラム製品。
【請求項１４】
少なくとも請求項１に記載の符号化方法のステップをプロセッサに実行させる命令を記憶した、プロセッサ可読媒体。
【請求項１５】
少なくとも請求項８に記載の復号方法のステップをプロセッサに実行させる命令を記憶した、プロセッサ可読媒体。
【請求項１６】
プログラムがコンピューティング・デバイス上で実行されたときに請求項１〜９のいずれか１項に記載の方法のステップを実行するプログラム・コードの命令を担持する、非一時的記憶媒体。
【国際調査報告】
2018507619.tif 000092
2018507619.tif 000093
2018507619.tif 000094